(57)【要約】アゾジカルボンアミドの、安全かつ環境負荷の軽減された製造方法を提供する。水又は有機溶媒と水との均一系又は不均一な混合系において、尿素の電解酸化を行うことにより、アゾジカルボンアミドを製造する。【特許請求の範囲】
【請求項１】
水又は有機溶媒と水との均一系又は不均一な混合系において、尿素の電解酸化反応を行うことを特徴とする、式（７）で表されるアゾジカルボンアミドの製造方法。
【化１】
2012147953.tif 000040
【請求項２】
尿素を、式（８）で表される化合物、式（９）で表される化合物、式（１０）で表される化合物、ハロゲン化水素及びハロゲンよりなる第一の化合物群から選択される１種又は２種以上の化合物を含む、水又は有機溶媒と水との均一系又は不均一な混合系で電解することを特徴とする、請求項１のアゾジカルボンアミドの製造方法。
【化２】
2012147953.tif 000041
［式中、Ｍは、Ｌｉ、Ｎａ、Ｋ、Ｍｇ、Ｃａ、Ｍｎ、Ｆｅ、Ｎｉ、Ｃｕ、Ａｇ、Ｚｎ、Ｓｎよりなる群から選択される１〜４価の金属を示す。Ｘはハロゲン、ｍは１〜４の整数を示す。］
【化３】
2012147953.tif 000042
［式中、Ａは、Ｎ又はＰを示す。Ｒ１、Ｒ２、Ｒ３、Ｒ４は、水素又は炭化水素基を示し、当該炭化水素基は、少なくとも１つの置換基を有していてもよい。また、Ｒ１、Ｒ２、Ｒ３、Ｒ４の少なくとも２つ以上が、他のヘテロ原子を介し、又は介することなく、互いに結合して、これらが結合するＡを含む飽和又は不飽和の環を形成していてもよい。また、Ｒ１、Ｒ２、Ｒ３又はＲ４の少なくとも１つ以上が、Ａに直接結合する代わりにヘテロ原子を介して結合し、環を形成してもよい。さらに、当該環上に１つ以上の置換基を有していてもよい。Ｘはハロゲンを示す。］
【化４】
2012147953.tif 000043
［式中、Ｍ’’は、Ｌｉ、Ｎａ、Ｋ、Ｍｇ、Ｃａ、Ｍｎ、Ｆｅ、Ｎｉ、Ｃｕ、Ａｇ、Ｚｎ、Ｓｎから選択される金属イオン、式（９）のカチオン部分又はＨを示し、Ｘはハロゲンを示す。Ｙ及びＺは１〜４から選択される整数を示す。］
【請求項３】
式（８）で表される化合物、式（９）で表される化合物、式（１０）で表される化合物、ハロゲン化水素及びハロゲンからなる群（第一の化合物群）から選択される少なくとも１種又は２種以上の化合物を含む、水又は有機溶媒と水との均一系又は不均一な混合系に、式（１１）で表される化合物及びハロゲンからなる群（第二の化合物群）から選ばれる１種又は２種以上の化合物（但し、第一の化合物群から選択される化合物と重複しない）を添加して電解する、請求項１又は２に記載のアゾジカルボンアミドの製造方法。
【化５】
2012147953.tif 000044
［式中、Ｍ’は、Ｌｉ、Ｎａ、Ｋ、Ｍｇ、Ｃａ、Ｔｉ、Ｚｒ、Ｍｎ、Ｆｅ、Ｎｉ、Ｃｕ、Ａｇ、Ｚｎ、Ａｌ、Ｓｉ、Ｓｎの金属イオン、式（９）で表される化合物のカチオン部分又はＨを示し、Ｘ’は、ハロゲンイオン、式（１０）で表される化合物のアニオン部分、ＢＦ４アニオン、ＰＦ６アニオン、ＰＯ４アニオン、Ｈ２ＰＯ４アニオン、ＨＰＯ４アニオン、ＰＯ３アニオン、ＨＰＯ３アニオン、ＰＯ２アニオン、ＳＯ４アニオン、ＨＳＯ４アニオン、ＳＯ３アニオン、ＨＳＯ３アニオン、ＳＯ２アニオン、ＢＯ３アニオン、ＨＢＯ３アニオン、Ｈ２ＢＯ３アニオン、アルミン酸アニオン、ケイ酸アニオン、チタン酸アニオン、スルホン酸アニオン、スルフィン酸アニオン、スルフェン酸アニオン、ホスホン酸アニオン、ホスフィン酸アニオン、ＯＣＯＲ５アニオン、ＯＣＯＲ６ＣＸ’’３アニオン、トリフルオロメタンスルホン酸アニオン、ビストリフルオロメタンスルホニルイミドアニオン、シュウ酸アニオン、マレイン酸アニオン、クエン酸アニオン、乳酸アニオン、グリコール酸アニオン、リンゴ酸アニオン、アジピン酸アニオン、安息香酸アニオン、テレフタル酸アニオン、マロン酸アニオンを示す（但し、Ｘ’がハロゲン及び式（１０）で表される化合物のアニオン部分の場合、Ｍ’はＴｉ、Ｚｒ、Ａｌ、Ｓｉを除く。但し、ポリ塩化アルミニウムは除外されない。）。Ｘ’’はハロゲンを示し、Ｒ５はＨか、直鎖又は分岐状のアルキル基、アリール基及びこれらに置換基を有する基を示し、Ｒ６はアルキレン基、アリーレン基及びこれらに置換基を有する基を示す。ｉ及びｊは１〜４の整数を示す。］
【請求項４】
電極材料として、貴金属、マイナーメタル、貴金属以外の金属基材に貴金属で被覆した電極、金属以外の基材に貴金属被覆した電極、金属酸化物と白金との複合被覆電極、マイナーメタルによる被覆電極、及びカーボン、グラッシーカーボン、グラファイト、グラフェン、カーボンシート、炭素繊維、ダイアモンドライク被覆電極の炭素系電極及びこれらの複合化電極からなる群より選択される材料を使用する、請求項１〜３に記載のアゾジカルボンアミドの製造方法。
【請求項５】
無隔膜電解装置、隔膜付き電解装置、隔膜にイオン交換膜を用いる電解装置およびフローセル電解装置からなる群より選択されるいずれかの電解装置を用いる、請求項１〜４に記載のアゾジカルボンアミドの製造方法。
【請求項６】
固体として析出したアゾジカルボンアミドを分離した後、回収された未反応の尿素、並びに式（８）〜（１０）で表される化合物、ハロゲン化水素及びハロゲンの第一の化合物群並びに化学式（１１）で表される化合物及びハロゲンからなる第二の化合物群より選択される化合物、及び水又は有機溶媒と水との均一系又は不均一な混合系に、必要に応じて、尿素並びに式（８）〜（１０）で表される化合物、ハロゲン化水素及びハロゲンの第一の化合物群並びに化学式（１１）で表される化合物及びハロゲンからなる第二の化合物群より選択される化合物を添加して液組成を調整して、再度電解に供する一連の操作を繰り返すことを特徴とする、請求項１〜５に記載のアゾジカルボンアミドの製造方法。
【請求項７】
陰極として、ガス拡散電極を用いる、請求項１〜６に記載のアゾジカルボンアミドの製造方法。
【発明の詳細な説明】
【技術分野】
【０００１】
本発明は、電解反応を用いて、尿素から直接アゾジカルボンアミドを得る製造方法に関する。
【背景技術】
【０００２】
アゾジカルボンアミドは、その分解挙動や、物理的性質、化学的性質に優れるという観点から、発泡剤として広く用いられている有用な化合物である。【０００３】
最も一般的に実施されている従来の製造方法は、下記反応式（１）で表されるように、尿素又はアンモニアを原料にして製造されるヒドラジンヒドラートと、２モルの尿素との反応を含む数段階の反応でアゾジカルボンアミドを製造する方法である（特許文献１）。この従来の製造法は、目的物アゾジカルボンアミドの分子構造に貢献しない、原料の無駄な消費が生じ、コストアップの原因になっている。また、副生する大量のアンモニアや、地球温暖化の原因となる炭酸ガスの発生も問題である。さらに、この方法では、塩素化剤や酸化剤、あるいは強酸や重金属触媒などを使用するため、廃棄物として多量の塩類や酸、重金属、アンモニア性窒素などを含有する大量の排水が発生する。これらを廃棄する為には処理が必要であることから、大きな処理費用が掛かり、製品コストのアップとなる上、公害の原因となるおそれがあることから、処理を行っても廃棄することが不可能な場合もある。【０００４】
【化１】
2012147953.tif 000002
【０００５】
現在実用化されているアゾジカルボンアミドの製造法は、４０年以上前に開発された技術であり、その後大きな技術革新が行われていない。比較的最近特許で開示された技術として、上記反応式１のアミノイソシアネート（式（３）で表される化合物）を加アンモニア分解してセミカルバジッド（式（５）で表される）を得る方法が報告されている（特許文献２）。しかし、１工程が短縮されるだけであり、その為に加圧容器中での大過剰の液体アンモニアを使用する必要があり、高圧反応の危険性がある。また、高圧反応容器を必要とする。さらに、過剰の液体アンモニアの回収、等量の塩化アンモニウムの副生等の問題もあるため、生産の合理化にも、経済性の革新にもならない。総合的には逆効果である。
【先行技術文献】
【特許文献】
【０００６】
【特許文献１】米国特許第２７９９６３１号明細書
【特許文献２】特許第２９５２７１２号公報
【発明の概要】
【発明が解決しようとする課題】
【０００７】
本発明は、アゾジカルボンアミドの、簡便で安全かつ環境負荷の軽減された画期的な製造方法を提供することを課題とする。
【課題を解決するための手段】
【０００８】
本発明者等は、上記の課題を解決するために、簡便かつ効率の良い、尿素の電解酸化二量化方法について、鋭意研究を行った。その結果、水又は有機溶媒と水との均一系又は不均一な混合系において、常圧下で尿素の電解酸化を行うことにより、１工程の、実用的で工業的に有利な、環境負荷軽減効果の大きいアゾジカルボンアミドの製造方法を見出し、本発明を完成するに至った。【０００９】
本発明は、下記項１〜９に係るアゾジカルボンアミドの製造方法を提供する。
項１：式（１）で表される尿素を、水又は有機溶媒と水との均一系又は不均一な混合系において電解酸化反応を行い、尿素から直接式（７）で表されるアゾジカルボンアミドを得ることを特徴とするアゾジカルボンアミドの新規製造方法。【００１０】
【化２】
2012147953.tif 000003
【００１１】
【化３】
2012147953.tif 000004
【００１２】
項２：式（１）で表される尿素を、式（８）で表される化合物、式（９）で表される化合物、式（１０）で表される化合物、ハロゲン化水素及びハロゲンからなる群（第一の化合物群）から選択される１種又は２種以上の化合物を含む、水又は有機溶媒と水との均一系又は不均一な混合系で電解することを特徴とする項１のアゾジカルボンアミドの製造方法。【００１３】
【化４】
2012147953.tif 000005
【００１４】
［式中、Ｍは、Ｌｉ、Ｎａ、Ｋ、Ｍｇ、Ｃａ、Ｍｎ、Ｆｅ、Ｎｉ、Ｃｕ、Ａｇ、Ｚｎ、Ｓｎよりなる群から選択される１〜４価の金属を示す。Ｘはハロゲン、ｍは１〜４の整数を示す。］【００１５】
【化５】
2012147953.tif 000006
【００１６】
［式中、Ａは、Ｎ又はＰを示す。Ｒ１、Ｒ２、Ｒ３、Ｒ４は、水素又は炭化水素基を示し、当該炭化水素基は、少なくとも１つの置換基を有していてもよい。また、Ｒ１、Ｒ２、Ｒ３、Ｒ４の少なくとも２つ以上が、他のヘテロ原子を介し、又は介することなく、互いに結合して、これらが結合するＡを含む飽和又は不飽和の環を形成していてもよい。また、Ｒ１、Ｒ２、Ｒ３又はＲ４の少なくとも１つ以上が、Ａに直接結合する代わりにヘテロ原子を介して結合し、環を形成してもよい。さらに、当該環上に１つ以上の置換基を有していてもよい。Ｘはハロゲンを示す。］【００１７】
【化６】
2012147953.tif 000007
【００１８】
［式中、Ｍ’’は、Ｌｉ、Ｎａ、Ｋ、Ｍｇ、Ｃａ、Ｍｎ、Ｆｅ、Ｎｉ、Ｃｕ、Ａｇ、Ｚｎ、Ｓｎ等の金属イオン、式（９）のカチオン部分又はＨを示し、Ｘはハロゲンを示す。Ｙ及びＺは１〜４から選択される整数を示す。］
項３：式（８）で表される化合物、式（９）で表される化合物、式（１０）で表される化合物、ハロゲン化水素又はハロゲンからなる群（第一の化合物群）から選択される少なくとも１種又は２種以上の化合物を含む、水又は有機溶媒と水との均一系又は不均一な混合系に、式（１１）で表される化合物及びハロゲンからなる群（第二の化合物群）から選択される少なくとも１種又は２種以上の化合物（但し、第一の化合物群から選ばれる化合物と重複しない）を添加して電解する項１又は２に記載のアゾジカルボンアミドの製造方法。【００１９】
【化７】
2012147953.tif 000008
【００２０】
［式中、Ｍ’は、Ｌｉ、Ｎａ、Ｋ、Ｍｇ、Ｃａ、Ｔｉ、Ｚｒ、Ｍｎ、Ｆｅ、Ｎｉ、Ｃｕ、Ａｇ、Ｚｎ、Ａｌ、Ｓｉ、Ｓｎ等の金属イオン、式（９）で表される化合物のカチオン部分又はＨを示し、Ｘ’は、以下のアニオン類で、ハロゲンイオン、式（１０）で表される化合物のアニオン部分、ＢＦ４アニオン、ＰＦ６アニオン、ＰＯ４アニオン、Ｈ２ＰＯ４アニオン、ＨＰＯ４アニオン、ＰＯ３アニオン、ＨＰＯ３アニオン、ＰＯ２アニオン、ＳＯ４アニオン、ＨＳＯ４アニオン、ＳＯ３アニオン、ＨＳＯ３アニオン、ＳＯ２アニオン、ＢＯ３アニオン、ＨＢＯ３アニオン、Ｈ２ＢＯ３アニオン、アルミン酸アニオン、ケイ酸アニオン、チタン酸アニオン等の無機アニオン、スルホン酸アニオン、スルフィン酸アニオン、スルフェン酸アニオン、ホスホン酸アニオン、ホスフィン酸アニオン、ＯＣＯＲ５アニオン、ＯＣＯＲ６ＣＸ’’３アニオン、トリフルオロメタンスルホン酸アニオン、ビストリフルオロメタンスルホニルイミドアニオン、シュウ酸アニオン、マレイン酸アニオン、クエン酸アニオン、乳酸アニオン、グリコール酸アニオン、リンゴ酸アニオン、アジピン酸アニオン、安息香酸アニオン、テレフタル酸アニオン、マロン酸アニオン等の１価から多価の有機酸アニオンを示す（但し、Ｘ’がハロゲンイオン及び式（１０）で表される化合物のアニオン部分の場合、Ｍ’はＴｉ、Ｚｒ、Ａｌ、Ｓｉを除く。但し、ポリ塩化アルミニウムは除外されない。）。Ｘ’’はハロゲンを示し、Ｒ５はＨか、直鎖又は分岐状のアルキル基、アリール基及びこれらに置換基を有する基を示し、Ｒ６はアルキレン基、アリーレン基及びこれらに置換基を有する基を示す。ｉ及びｊは１〜４の整数を示す。］
項４：電極材料として、貴金属、マイナーメタル、貴金属以外の金属基材に貴金属で被覆した電極、金属以外の基材に貴金属被覆した電極、酸化イリジウムや酸化ルテニウムなどの金属酸化物と白金との複合被覆電極、マイナーメタルによる被覆電極、及びカーボン、グラッシーカーボン、グラファイト、グラフェン、カーボンシート、炭素繊維、ダイアモンドライク被覆電極等の炭素系電極及びこれらの複合化電極からなる群より選択される材料を使用する項１〜３のいずれか１項に記載のアゾジカルボンアミドの製造方法。
項５：無隔膜電解装置、隔膜付き電解装置、隔膜にイオン交換膜を用いる電解装置およびフローセル電解装置からなる群より選択されるいずれかの電解装置を用いる項１〜４のいずれか１項に記載のアゾジカルボンアミドの製造方法。
項６：固体として析出したアゾジカルボンアミドを分離した後、回収された未反応の尿素、並びに式（８）〜（１０）で表される化合物、ハロゲン化水素及びハロゲンの第一の化合物群並びに化学式（１１）で表される化合物及びハロゲンからなる第二の化合物群より選択される化合物、及び水又は有機溶媒と水との均一系又は不均一な混合系に、必要に応じて、尿素並びに式（８）〜（１０）で表される化合物、ハロゲン化水素及びハロゲンの第一の化合物群並びに化学式（１１）で表される化合物及びハロゲンからなる第二の化合物群より選択される化合物を添加して液組成を調整して、再度電解に供する一連の操作を繰り返すことを特徴とする、請求項１〜５に記載のアゾジカルボンアミドの製造方法。
項７：陰極として、ガス拡散電極を用いる項１〜６のいずれか１項に記載のアゾジカルボンアミドの製造方法。【００２１】
また、本発明は以下の態様を包含する。
項８：固体として析出したアゾジカルボンアミドを分離した後、回収された未反応の尿素、並びに式（８）〜（１０）で表される化合物、ハロゲン化水素及びハロゲンからなる群（第一の化合物群）から選択される化合物より選択される化合物を含む溶液に、必要に応じて、尿素および式（８）〜（１０）で表される化合物、ハロゲン化水素及びハロゲンの第一の化合物群より選択される化合物を添加して液組成を調整して、再度電解に供する一連の操作を繰り返すことを特徴とする、項１〜４に記載のアゾジカルボンアミドの製造方法。
項９：固体として析出したアゾジカルボンアミドを分離した溶液に、尿素と、式（８）〜式（１０）で表される化合物及びハロゲンからなる群（第一の化合物群）から選択される化合物とを加えて液組成を調整して電解反応を行うことを特徴とする項１〜５のいずれかに記載のアゾジカルボンアミドの製造方法。
項１０：式（１１）で表される化合物及びハロゲンからなる群（第二の化合物群）から選択される化合物を更に加えて液組成を調整することを特徴とする項９に記載のアゾジカルボンアミドの製造方法。
【発明の効果】
【００２２】
本発明は、式（１）で表される尿素から、式（７）で表されるアゾジカルボンアミドを１工程で直接得る、効率的な製造方法である。水又は有機溶媒と水との均一系又は不均一な混合系水で行われることから、簡便で安全且つ安価で環境負荷の小さい製造方法である。また、生成するアゾジカルボンアミドが固体として析出するため、分離・精製も容易である。さらに、反応で使用する式（８）〜（１１）で表される化合物、ハロゲン化水素又はハロゲンと未反応の尿素とを含む水溶液を、そのまま循環・再利用できることから、ほとんど廃棄物を系外に排出することがなく、環境負荷の少ない製造方法である。また、ガス拡散電極を使用すれば、水素の発生もなく、消費電力の抑制が可能となる。
【発明を実施するための形態】
【００２３】
以下、本発明を詳細に説明する。
【００２４】
本発明は、水又は有機溶媒と水との均一系又は不均一な混合系で、尿素の電解酸化反応を行うことにより、アゾジカルボンアミドを製造する方法であり、下記の反応式で表される。
【００２５】
【化８】
2012147953.tif 000009
【００２６】
前記電解酸化反応は、式（８）で表される化合物、式（９）で表される化合物、式（１０）で表される化合物、ハロゲン化水素又はハロゲンからなる第一の化合物群より選択される１種又は２種以上の化合物を含む、水又は有機溶媒と水との均一系又は不均一な混合系で、２分子の尿素を四電子酸化電解することにより進行する。
【００２７】
【化９】
2012147953.tif 000010
【００２８】
（式中、Ｍは、Ｌｉ、Ｎａ、Ｋ、Ｍｇ、Ｃａ、Ｍｎ、Ｆｅ、Ｎｉ、Ｃｕ、Ａｇ、Ｚｎ、Ｓｎよりなる群から選択される１〜４価の金属を示す。Ｘはハロゲン、ｍは１〜４の整数を示す。）
【００２９】
【化１０】
2012147953.tif 000011
【００３０】
（式中、Ａは、Ｎ又はＰを示す。Ｒ１、Ｒ２、Ｒ３、Ｒ４は、水素又は炭化水素基を示し、当該炭化水素基は、少なくとも１つの置換基を有していてもよい。また、Ｒ１、Ｒ２、Ｒ３、Ｒ４の少なくとも２つ以上が、他のヘテロ原子を介し、又は介することなく、互いに結合して、これらが結合するＡを含む飽和又は不飽和の環を形成していてもよい。また、Ｒ１、Ｒ２、Ｒ３又はＲ４の少なくとも１つ以上が、Ａに直接結合する代わりにヘテロ原子を介して結合し、環を形成してもよい。さらに、当該環上に１つ以上の置換基を有していてもよい。Ｘはハロゲンを示す。）
【００３１】
【化１１】
2012147953.tif 000012
【００３２】
（式中、Ｍ’’は、Ｌｉ、Ｎａ、Ｋ、Ｍｇ、Ｃａ、Ｍｎ、Ｆｅ、Ｎｉ、Ｃｕ、Ａｇ、Ｚｎ、Ｓｎ等から選択される金属イオン、式（９）のカチオン部分又はＨを示し、Ｘはハロゲンを示す。Ｙ及びＺは１〜４から選択される整数を示す。）
式（８）のＸにおけるハロゲンとしては、フッ素、塩素、臭素、ヨウ素が挙げられる。
【００３３】
式（８）で表される化合物としては、例えば、フッ化リチウム、フッ化ナトリウム、フッ化カリウム、フッ化カルシウム、フッ化マグネシウム、フッ化鉄、塩化リチウム、塩化ナトリウム、塩化カリウム、塩化カルシウム、塩化銅、塩化マグネシウム、塩化鉄、塩化亜鉛、塩化ニッケル、塩化錫、塩化銀、臭化リチウム、臭化ナトリウム、臭化カリウム、臭化カルシウム、臭化銅、臭化マグネシウム、臭化鉄、臭化マンガン、臭化亜鉛、臭化ニッケル、臭化錫、臭化銀、沃化リチウム、沃化ナトリウム、沃化カリウム、沃化カルシウム、沃化銅、沃化マグネシウム、沃化鉄、沃化マンガン、沃化亜鉛、沃化ニッケル、沃化錫、沃化銀等が挙げられる。
【００３４】
好ましくは、塩化リチウム、塩化ナトリウム、塩化カリウム、塩化カルシウム、塩化マグネシウム、塩化亜鉛、塩化鉄、塩化銅、臭化リチウム、臭化ナトリウム、臭化カリウム、臭化カルシウム、臭化マグネシウム、臭化亜鉛、臭化銅、沃化リチウム、沃化ナトリウム、沃化カリウム、沃化銅を挙げることができるが、特にこれらの化合物に限定されるものではない。
【００３５】
式（９）で表される化合物において、ＡがＮである場合には、アゾニアの塩を示し、ＡがＰである場合には、ホスホニウム塩を示す。
【００３６】
式（９）のＸにおけるハロゲンとしては、フッ素、塩素、臭素、ヨウ素が挙げられる。
【００３７】
式（９）で表される化合物がアゾニアの塩の場合、Ｒ１、Ｒ２、Ｒ３又はＲ４における炭化水素基としては、例えば、直鎖又は分岐のＣ１〜Ｃ６の飽和、又は不飽和の炭化水素基、Ｃ３〜Ｃ８の飽和、又は不飽和の環状炭化水素基、Ｃ６〜Ｃ１８の芳香族炭化水素基等が挙げられる。具体的には、メチル基、エチル基、ｎ−プロピル基、イソプロピル基、ブチル基、イソブチル基、ｔ−ブチル基、ｎ−ペンチル基、ｎ−ヘキシル基、シクロプロピル基、シクロペンチル基、シクロヘキシル基、フェニル基、ナフチル基、アントラセニル基、フルオレニル基等が挙げられる。
【００３８】
好ましくは、メチル基、エチル基、プロピル基、ブチル基、ヘキシル基、シクロヘキシル基、フェニル基である。しかしこれらに限定されるものではない。
【００３９】
また、当該炭化水素基上に有していてもよい置換基としては、例えば、アルキル基（Ｃ１〜Ｃ６のアルキル基）、アルコキシ基（メトキシ基、エトキシ基など）、ハロゲン基、ニトロ基、アミノ基、アルキルチオ基等が挙げられる。
【００４０】
好ましくは、Ｃ１〜Ｃ６程度のアルキル基、メトキシ基、エトキシ基、メトキシエトキシ基、ハロゲン基、ニトロ基である。しかしこれらに限定されるものではない。
【００４１】
また、式（９）におけるＲ１、Ｒ２、Ｒ３又はＲ４の少なくとも２つ以上が、他のヘテロ原子を介し、又は介することなく、互いに結合して、これらが結合するＡを含み形成する飽和又は不飽和の環において、当該ヘテロ原子としては、例えば、Ｏ、Ｎ、Ｓ等があげられる。また、形成する環としては、５又は８員環、スピロ環が挙げられ、例えば、他のヘテロ原子を介して形成する環としては、ピラゾール環、イミダゾール環、ベンゾイミダゾール環、イミダゾリン環、ピリミジン環、オキサゾール環、チアゾール環、プリン環、トリアジン環、ピラジン環、フェノチアジン環、フェナジン環、モルフォリン環、ピペラジン環、イミダゾリン環、イソオキサゾリン環等が挙げられ、他のヘテロ原子を介することなく形成する環としては、アゼチジン環、ピロール環、ピロリジン環、ピペリジン環、ヘキサメチレンイミン環、ピリジン環、アゼピン環、キノリン環、インドール環、イソキノリン環、カルバゾール環等が挙げられる。
【００４２】
また、式（９）において、Ｒ１、Ｒ２、Ｒ３又はＲ４の少なくとも１つ以上が、Ａに直接結合する代わりにヘテロ原子を介して結合し、環を形成してもよい。当該環としては、例えば、トリアゾール環、テトラゾール環、ピラゾリジン環等が挙げられる。
【００４３】
好ましくは、ピラゾール環、イミダゾール環、イミダゾリン環、トリアゾール環、ピラジン環、ピロール環、ピリジン環、キノリン環、ピロリジン環、ピペリジン環である。しかしこれらに限定されるものではない。
【００４４】
さらに、当該環上に有していてもよい置換基としては、例えば、アルキル基（Ｃ１〜Ｃ６のアルキル基）、芳香環基、複素環基、アルコキシ基、ニトロ基、アミノ基等が挙げられる。
【００４５】
好ましくは、Ｃ１〜Ｃ６程度のアルキル基、フェニル基、ナフチル基、メトキシ基、エトキシ基、メトキシエトキシ基、トリアルキルアミノ基である。しかしこれらに限定されるものではない。
【００４６】
式（９）で表されるアゾニアの塩としては、ハロゲン化アンモニウム塩、ハロゲン化第１級アンモニウム塩、ハロゲン化第２級アンモニウム塩、ハロゲン化第３級アンモニウム塩、ハロゲン化第４級アンモニウム塩、化合物中の窒素がカチオンとなったハロゲン塩が挙げられる。より具体的には、ハロゲン化アンモニウム、アルキルアンモニウムハライド、アリールアンモニウムハライド、ピラゾリウムハライド、イミダゾリウムハライド、ピリミジニウムハライド、オキサゾリウムハライド、チアゾリウムハライド、プリニウムハライド、トリアゾリウムハライド、テトラゾリウムハライド、トリアジニウムハライド、ピラジニウムハライド、フェノチアジニウムハライド、フェナジニウムハライド、モルフォリニウムハライド、ピペラジニウムハライド、ピラゾリジニウムハライド、イソオキサゾリニウムハライド、ピラジニウムハライド、ピペリジニウムハライド、ピロリジニウムハライド、ピリジニウムハライド、スピロ化合物ハロゲン塩等、少なくともＮを含む複数のヘテロ原子が隣り合って、又は離れて存在する飽和、不飽和の複素環化合物及びその縮合環化合物塩等である。
【００４７】
ハロゲン化アンモニウムとしては、塩化アンモニウム、臭化アンモニウム、沃化アンモニウムを挙げることができる。
【００４８】
アルキルアンモニウムハライドとしては、例えば、塩化モノメチルアンモニウム、臭化モノメチルアンモニウム、沃化モノメチルアンモニウム、塩化ジメチルアンモニウム、臭化ジメチルアンモニウム、沃化ジメチルアンモニウム、塩化トリメチルアンモニウム、臭化トリメチルアンモニウム、沃化トリメチルアモニウム、塩化テトラメチルアンモニウム、臭化テトラメチルアンモニウム、沃化テトラメチルアンモニウム、塩化エチルアンモニウム、臭化エチルアンモニウム、沃化エチルアンモニウム、塩化ジエチルアンモニウム、臭化ジエチルアンモニウム、沃化ジエチルアンモニウム、塩化トリエチルアンモニウム、臭化トリエチルアンモニウム、沃化トリエチルアンモニウム、塩化テトラエチルアンモニウム、臭化テトラエチルアンモニウム、沃化テトラエチルアンモニウム、トリエチルメチルアンモニウムクロライド、トリエチルメチルアンモニウムブロマイド、トリエチルメチルアンモニウムイオダイド、ジメエチルジエチルアンモニウムクロリド、ジメエチルジエチルアンモニウムブロミド、ジメエチルジエチルアンモニウムイオダイド、シクロヘキシルトリメチルアンモニウムクロリド、シクロヘキシルトリメチルアンモニウムブロミド、シクロヘキシルトリメチルアンモニウムイオダイド、Ｎ，Ｎ−ジエチル−Ｎ−メチル−Ｎ−（２−メトキシエチル）アンモニウムクロライド、Ｎ，Ｎ−ジエチル−Ｎ−メチル−Ｎ−（２−メトキシエチル）アンモニウムブロマイド、Ｎ，Ｎ−ジエチル−Ｎ−メチル−Ｎ−（２−メトキシエチル）アンモニウムイオダイド等が挙げられる。
【００４９】
また、アリールアンモニウムハライドとしては、例えば、塩化フェニルトリメチルアンモニウム、塩化ジフェニルジメチルアンモニウム等の塩化アリールアンモニウム、臭化フェニルトリメチルアンモニウム、臭化ジフェニルジメチルアンモニウム等の臭化アリールアンモニウム、沃化フェニルトリメチルアンモニウム、沃化ジフェニルジメチルアンモニウム等の沃化アリールアンモニウム等が挙げられる。
【００５０】
また、ピラゾリウムハライドとしては、例えば、１−Ｎ−ジメチルピラゾリウムクロライド、１−Ｎ−ジエチルピラゾリウムクロライド、１−Ｎ−イソプロピル−１−メチルピラゾリウムクロライド、１−メチル−１−エチルピラゾリウムクロライド、１−Ｎ−ジメチルピラゾリウムブロマイド、１−Ｎ−ジエチルピラゾリウムブロマイド、１−Ｎ−イソプロピル−１−メチルピラゾリウムブロマイド、１−メチル−１−エチルピラゾリウムブロマイド、１−Ｎ−ジメチルピラゾリウムイオダイド、１−Ｎ−ジエチルピラゾリウムイオダイド、１−Ｎ−イソプロピル−１−メチルピラゾリウムイオダイド、１−メチル−１−エチルピラゾリウムイオダイド等を挙げることができる。
【００５１】
また、イミダゾリウムハライドとしては、例えば、１−ブチル−２，３−ジメチルイミダゾリウムクロリド、１−ブチル−３−メチルイミダゾリウムクロリド、１−ブチル−３−メチルイミダゾリウムブロミド、１−ブチル−３−メチルイミダゾリウムイオダイド、１，３−ジメチルイミダゾリウムクロリド、１，２−ジメチル−３−プロピルイミダゾリウムイオダイド、１−エチル−３−メチルイミダゾリウムブロミド、１−エチル−３−メチルイミダゾリウムクロリド、１−エチル−３−メチルイミダゾリウムイオダイド、１−ヘキシル−３−メチルイミダゾリウムブロミド、１−ヘキシル−３−メチルイミダゾリウムクロリド、１−メチル−３−ｎ−オクチルイミダゾリウムブロミド、１，２，３−トリメチルイミダゾリウムクロライド、１，２，３−トリメチルイミダゾリウムブロマイド、１，２，３−トリメチルイミダゾリウムイオダイド、ベンゾイミダゾリウムクロリド、ベンゾイミダゾリウムブロミド、ベンゾイミダゾリウムイオダイド等が挙げられる。
【００５２】
また、ピリミジニウムハライドとしては、例えば、１−メチルピリミジニウムクロライド、１−メチルピリミジニウムブロマイド、１−メチルピリミジニウムイオダイド、１−エチルピリミジニウムクロライド、１−エチルピリミジニウムブロマイド、１−エチルピリミジニウムイオダイド、１−イソプロピルピリミジニウムクロライド、１−イソプロピルピリミジニウムブロミド、１−イソプロピルピリミジニウムイオダイド等を挙げることができる。
【００５３】
また、オキサゾリウムハライドとしては、例えば、Ｎ−メチルオキサゾリウムクロライド、Ｎ−メチルオキサゾリウムブロマイド、Ｎ−メチルオキサゾリウムイオダイド、Ｎ−エチルオキサゾリウムクロライド、Ｎ−エチルオキサゾリウムブロマイド、Ｎ−エチルオキサゾリウムイオダイド、Ｎ−イソプロピルオキサゾリウムクロライド、Ｎ−イソプロピルオキサゾリウムブロマイド、Ｎ−イソプロピルオキサゾリウムイオダイド等を挙げることができる。
【００５４】
また、チアゾリウムハライドとしては、例えば、Ｎ−メチルチアゾリウムクロライド、Ｎ−メチルチアゾリウムブロマイド、Ｎ−メチルチアゾリウムイオダイド、Ｎ−エチルチアゾリウムクロライド、Ｎ−エチルチアゾリウムブロマイド、Ｎ−エチルチアゾリウムイオダイド、Ｎ−イソプロピルチアゾリウムクロライド、Ｎ−イソプロピルチアゾリウムブロマイド、Ｎ−イソプロピルチアゾリウムイオダイド等を挙げることができる。
【００５５】
また、プリニウムハライドとしては、例えば、１，１−ジメチルプリニウムクロライド、１，１−ジメチルプリニウムブロマイド、１，１−ジメチルプリニウムイオダイド、１，１−ジエチルプリニウムクロライド、１，１−ジエチルプリニウムブロマイド、１，１−ジエチルプリニウムイオダイド、１−メチル−１−エチルプリニウムクロライド、１−メチル−１−エチルプリニウムブロマイド、１−メチル−１−エチルプリニウムイオダイド等を挙げることができる。
【００５６】
また、トリアゾリウムハライドとしては、例えば、１，１−ジメチルトリアゾリウムクロライド、１，１−ジメチルトリアゾリウムブロマイド、１，１−ジメチルトリアゾリウムイオダイド、１，１−ジエチルトリアゾリウムクロライド、１，１−ジエチルトリアゾリウムブロマイド、１，１−ジエチルトリアゾリウムイオダイド、１−メチル−１−エチルトリアゾリウムクロライド、１−メチル−１−エチルトリアゾリウムブロミド、１−メチル−１−エチルトリアゾリウムイオダイド等を挙げることができる。
【００５７】
また、テトラゾリウムハライドとしては、例えば、１，１−ジメチルテトラゾリウムクロライド、１，１−ジメチルテトラゾリウムブロマイド、１，１−ジメチルテトラゾリウムイオダイド、１，１−ジエチルテトラゾリウムクロライド、１，１−ジエチルテトラゾリウムブロマイド、１，１−ジエチルテトラゾリウムイオダイド、１−メチル−１−エチルテトラゾリウムクロライド、１−メチル−１−エチルテトラゾリウムブロマイド、１−メチル−１−エチルテトラゾリウムイオダイド等を挙げることができる。
【００５８】
また、トリアジニウムハライドとしては、例えば、１−メチルトリアジニウムクロライド、１−メチルトリアジニウムブロマイド、１−メチルトリアジニウムイオダイド、１−エチルトリアジニウムクロライド、１−エチルトリアジニウムブロマイド、１−エチルトリアジニウムイオダイド、１−イソプロピルトリアジニウムクロライド、１−イソプロピルトリアジニウムブロマイド、１−イソプロピルトリアジニウムイオダイド等を挙げることができる。
【００５９】
また、ピラジニウムハライドとしては、例えば、１−メチルピラジニウムクロライド、１−メチルピラジニウムブロマイド、１−メチルピラジニウムイオダイド、１−エチルピラジニウムクロライド、１−エチルピラジニウムブロマイド、１−エチルピラジニウムイオダイド、１−イソプロピルピラジニウムクロライド、１−イソプロピルピラジニウムブロマイド、１−イソプロピルピラジニウムイオダイド等を挙げることができる。
【００６０】
また、フェノチアジニウムハライドとしては、例えば、１０，１０−ジメチルフェノチアジニウムクロライド、１０，１０−ジメチルフェノチアジニウムブロマイド、１０，１０−ジメチルフェノチアジニウムイオダイド、１０，１０−ジエチルフェノチアジニウムクロライド、１０，１０−ジエチルフェノチアジニウムブロマイド、１０，１０−ジエチルフェノチアジニウムイオダイド、１０−メチル−１０−エチルフェノチアジニウムクロライド、１０−メチル−１０−エチルフェノチアジニウムブロマイド、１０−メチル−１０−エチルフェノチアジニウムイオダイド等を挙げることができる。
【００６１】
また、フェナジニウムハライドとしては、例えば、５，５−ジメチルフェナジニウムクロライド、５，５−ジメチルフェナジニウムブロマイド、５，５−ジメチルフェナジニウムイオダイド、５，５−ジエチルフェナジニウムクロライド、５，５−ジエチルフェナジニウムブロマイド、５，５−ジエチルフェナジニウムイオダイド、５−メチル−５−エチルフェナジニウムクロライド、５−メチル−５−エチルフェナジニウムブロマイド、５−メチル−５−エチルフェナジニウムイオダイド等を挙げることができる。
【００６２】
また、モルフォリニウムハライドとしては、例えば、４，４−ジメチルモルフォリニウムクロライド、４，４−ジメチルモルフォリニウムブロマイド、４，４−ジメチルモルフォリニウムイオダイド、４，４−ジエチルモルフォリニウムクロライド、４，４−ジエチルモルフォリニウムブロマイド、４，４−ジエチルモルフォリニウムイオダイド、４−メチル−４−エチルモルフォリニウムクロライド、４−メチル−４−エチルモルフォリニウムブロマイド、４−メチル−４−エチルモルフォリニウムイオダイド等が挙げられる。
【００６３】
また、ピペラジニウムハライドとしては、例えば、１，１−ジメチルピペラジニウムクロライド、１，１−ジメチルピペラジニウムブロマイド、１，１−ジメチルピペラジニウムイオダイド、１，１−ジエチルピペラジニウムクロライド、１，１−ジエチルピペラジニウムブロマイド、１，１−ジエチルピペラジニウムイオダイド、１−メチル−１−エチルピペラジニウムクロライド、１−メチル−１−エチルピペラジニウムブロマイド、１−メチル−１−エチルピペラジニウムイオダイド等を挙げることができる。
【００６４】
また、ピラゾリジニウムハライドとしては、例えば、１，１−ジメチルピラゾリジニウムクロライド、１，１−ジメチルピラゾリジニウムブロマイド、１，１−ジメチルピラゾリジニウムイオダイド、１，１−ジエチルピラゾリジニウムクロライド、１，１−ジエチルピラゾリジニウムブロマイド、１，１−ジエチルピラゾリジニウムイオダイド、１，１−ジプロピルチルピラゾリジニウムクロライド、１，１−ジプロピルチルピラゾリジニウムブロマイド、１，１−ジプロピルチルピラゾリジニウムイオダイド等を挙げることができる。
【００６５】
また、イソオキサゾリニウムハライドとしては、例えば、２，２−ジメチルイソオキサゾリニウムクロライド、２，２−ジメチルイソオキサゾリニウムブロマイド、２，２−ジメチルイソオキサゾリニウムイオダイド、２，２−ジエチルイソオキサゾリニウムクロライド、２，２−ジエチルイソオキサゾリニウムブロマイド、２，２−ジエチルイソオキサゾリニウムイオダイド、２，２−ジプロピルイソオキサゾリニウムクロライド、２，２−ジプロピルイソオキサゾリニウムブロミド、２，２−ジプロピルイソオキサゾリニウムイオダイド等を挙げることができる。
【００６６】
また、ピラジニウムハライドとしては、例えば、１−メチルピラジニウムクロライド、１−メチルピラジニウムブロマイド、１−メチルピラジニウムイオダイド、１−エチルピラジンクロライド、１−エチルピラジニウムブロマイド、１−エチルピラジニウムイオダイド、１−イソプロピルピラジニウムクロライド、１−イソプロピルピラジニウムブロマイド、１−イソプロピルピラジニウムイオダイド等を挙げることができる。
【００６７】
また、ピペリジニウムハライドとしては、例えば、１，１−ジメチルピペリジニウムクロライド、１，１−ジメチルピペリジニウムブロマイド、１，１−ジメチルピペリジニウムイオダイド、１，１−ジエチルピペリジニウムクロライド、１，１−ジエチルピペリジニウムブロミド、１，１−ジエチルピペリジニウムイオダイド、１，１−ジプロピルピペリジニウムクロライド、１，１−ジプロピルチルピペリジニウムブロミド、１，１−ジプロピルピペリジニウムイオダイド等を挙げることができる。
【００６８】
また、ピロリジニウムハライドとしては、例えば、１，１−ジメチルピロリジニウムクロライド、１，１−ジメチルピロリジニウムブロマイド、１，１−ジメチルピロリジニウムイオダイド、１−メチル−１−エチルピロリジニウムクロリド、１−メチル−１−エチルピロリジニウムブロミド、１−メチル−１−エチルピロリジニウムイオダイド、１−ブチル−１−メチルピロリジニウムブロミド、１−ブチル−１−メチルピロリジニウムクロリド、１−メチル−１−プロピルピロリジニウムクロライド、１−メチル−１−プロピルピロリジニウムブロマイド、１−メチル−１−プロピルピロリジニウムイオダイド、１−ブチル−１−メチルピロリジニウムクロリド、１−ブチル−１−メチルピロリジニウムブロミド、１−ブチル−１−メチルピロリジニウムイオダイド、１−メチル−１−メトキシメチルピロリジニウムクロライド、１−メチル−１−メトキシメチルピロリジニウムブロミド、１−エチル−１−メトキシメチルピロリジニウムイオダイド等が挙げられる。
【００６９】
また、ピリジニウムハライドとしては、例えば、１−ブチル−４−メチルピリジニウムクロリド、１−ブチル−４−メチルピリジニウムブロミド、１−ブチル−４−メチルピリジニウムイオダイド、１−ブチル−３−メチルピリジニウムブロミド、１−ブチル−３−メチルピリジニウムクロリド、１−ブチル−３−メチルピリジニウムイオダイド、１−ブチルピリジニウムブロミド、１−ブチルピリジニウムクロリド、１−ブチルピリジニウムイオダイド、１−エチルピリジニウムブロミド、１−エチルピリジニウムクロリド、１−エチルピリジニウムイオダイド等が挙げられる。
【００７０】
スピロ化合物ハロゲン塩としては、例えば、５−アゾニアスピロ［４．４］ノナンクロライド、５−アゾニアスピロ［４．４］ノナンブロマイド、５−アゾニアスピロ［４．４］ノナンイオダイド等を挙げることができる。
【００７１】
これらの式（９）で表されるアゾニアの塩の中でも、塩化アンモニウム、臭化アンモニウム、沃化アンモニウム、塩化テトラメチルアンモニウム、臭化テトラメチルアンモニウム、沃化テトラメチルアンモニウム、トリエチルメチルアンモニウムクロライド、トリエチルメチルアンモニウムブロマイド、トリエチルメチルアンモニウムイオダイド、塩化フェニルトリメチルアンモニウム、臭化フェニルトリメチルアンモニウム、１−エチル−３−メチルイミダゾリウムブロミド、１−エチル−３−メチルイミダゾリウムクロリド、１−エチル−３−メチルイミダゾリウムイオダイド、１，１−ジメチルピロリジニウムクロライド、１，１−ジメチルピロリジニウムブロマイド、１，１−ジメチルピロリジニウムイオダイド、１−ブチル−４−メチルピリジニウムクロリド、１−ブチル−４−メチルピリジニウムブロミド、１−ブチル−４−メチルピリジニウムイオダイド、５−アゾニアスピロ［４．４］ノナンクロライド、５−アゾニアスピロ［４．４］ノナンブロマイド、５−アゾニアスピロ［４．４］ノナンイオダイド等を好ましく挙げることができるが、これらの化合物に限定されるものではない。
【００７２】
式（９）で表される化合物がホスホニウム塩の場合、Ｒ１、Ｒ２、Ｒ３又はＲ４における炭化水素基としては、例えば、直鎖又は分岐のＣ１〜Ｃ１４の飽和、又は不飽和の炭化水素基、Ｃ３〜Ｃ１４の飽和、又は不飽和の環状炭化水素基、Ｃ６〜Ｃ１８の芳香族炭化水素基、等が挙げられる。具体的には、メチル基、エチル基、ｎ−プロピル基、イソプロピル基、ブチル基、イソブチル基、ｔ−ブチル基、ｎ−ペンチル基、ｎ−ヘキシル基、ｎ−オクチル基、ｎ−デカ基、ｎ−ヘキサデカ基、シクロプロピル基、シクロペンチル基、シクロヘキシル基、フェニル基、ナフチル基等が挙げられる。
【００７３】
好ましくは、メチル基、エチル基、ｎ−プロピル基、ｎ−ブチル基、ｎ−ヘキシル基、ｎ−オクチル基、シクロヘプチル基、シクロヘキシル基、フェニル基である。しかしこれらに限定されるものではない。
【００７４】
また、当該炭化水素基上に有していてもよい置換基としては、例えば、アルキル基（Ｃ１〜Ｃ６のアルキル基）、アルコキシ基（メトキシ基、エトキシ基など）、ハロゲン基、ニトロ基、アミノ基、アルキルチオ基等が挙げられる。
【００７５】
好ましくは、Ｃ１〜Ｃ６程度のアルキル基、メトキシ基、エトキシ基、メトキシエトキシ基、ハロゲン基、ニトロ基である。しかしこれらに限定されるものではない。
【００７６】
式（９）で表されるホスホニウム塩としては、例えば、テトラメチルホスホニウムクロライド、テトラメチルホスホニウムブロマイド、テトラメチルホスホニウムイオダイド、テトラエチルホスホニウムクロライド、テトラエチルホスホニウムブロマイド、テトラエチルホスホニウムイオダイド、テトラブチルホスホニウムクロライド、テトラブチルホスホニウムブロマイド、テトラブチルホスホニウムイオダイド、メチル―エチル―プロピル―ブチルホスホニウムクロライド、テトラフェニルホスホニウムクロライド、テトラフェニルホスホニウムブロマイド、テトラフェニルホスホニウムイオダイド等を挙げることができる。
【００７７】
好ましくは、テトラメチルホスホニウムクロライド、テトラエチルホスホニウムブロマイド、テトラブチルホスホニウムブロマイド、メチル、エチル、プロピル、ブチルホスホニウムクロライド、テトラフェニルホスホニウムブロマイド、テトラエチルホスホニウムビストリフルオロメタンスルホンイミド、テトラプロピルホスホニウムテトラフルオロボレート、テトラブチルホスホニウムヘキサフルオロホスフェート等を挙げることができるが、これらに限定されるものではない。
【００７８】
式（１０）のＸにおけるハロゲンとしては、例えば、フッ素、塩素、臭素、ヨウ素が挙げられる。
【００７９】
式（１０）で表される化合物としては、例えば、次亜塩素酸、次亜塩素酸リチウム、亜塩素酸、亜塩素酸リチウム、塩素酸、塩素酸リチウム、過塩素酸、過塩素酸リチウム、次亜塩素酸ナトリウム、亜塩素酸ナトリウム、塩素酸ナトリウム、過塩素酸ナトリウム、次亜塩素酸カリウム、亜塩素酸カリウム、塩素酸カリウム、過塩素酸カリウム、次亜塩素酸カルシウム、亜塩素酸カルシウム、塩素酸カルシウム、過塩素酸カルシウム、次亜塩素酸マグネシウム、亜塩素酸マグネシウム、塩素酸マグネシウム、過塩素酸マグネシウム、次亜臭素酸、次亜臭素酸リチウム、亜臭素酸、亜臭素酸リチウム、臭素酸、臭素酸リチウム、過臭素酸、過臭素酸リチウム、次亜臭素酸ナトリウム、亜臭素酸ナトリウム、臭素酸ナトリウム、過臭素酸ナトリウム、次亜臭素酸カリウム、亜臭素酸カリウム、臭素酸カリウム、過臭素酸カリウム、次亜臭素酸カルシウム、亜臭素酸カルシウム、臭素酸カルシウム、過臭素酸カルシウム、次亜臭素酸マグネシウム、次亜沃素酸、次亜沃素酸リチウム、亜沃素酸、亜沃素酸リチウム、沃素酸、沃素酸リチウム、過沃素酸、過沃素酸リチウム、次亜沃素酸ナトリウム、亜沃素酸ナトリウム、沃素酸ナトリウム、過沃素酸ナトリウム、次亜沃素酸カリウム、亜沃素酸カリウム、過沃素酸カリウム、次亜沃素酸カルシウム、亜沃素酸カルシウム、沃素酸カルシウム、過沃素酸カルシム、次亜沃素酸マグネシウム、亜沃素酸マグネシウム、沃素酸マグネシウム、過沃素酸マグネシウム等の次亜ハロゲン酸、亜ハロゲン酸、ハロゲン酸、過ハロゲン酸、及びこれらの塩を挙げることができる。
【００８０】
好ましくは、次亜塩素酸ナトリウム、塩素酸ナトリウム、次亜塩素酸カリウム、塩素酸カリウム、次亜塩素酸カルシウム、塩素酸カルシウム、次亜塩素酸マグネシウム、塩素酸マグネシウム、次亜臭素酸ナトリウム、臭素酸ナトリウム、次亜臭素酸カリウム、臭素酸カリウム、次亜臭素酸カルシウム、臭素酸カルシウム、次亜臭素酸マグネシウム、臭素酸マグネシウム、次亜沃素酸ナトリウム、沃素酸ナトリウム、次亜沃素酸カリウム、沃素酸カリウム、次亜沃素酸カルシウム、沃素酸カルシウム、次亜沃素酸マグネシウム、沃素酸マグネシウム等を挙げることができるが、これ等の化合物に限定されるものではない。
【００８１】
また、上記ハロゲン化水素としては、例えば、塩化水素、臭化水素、沃化水素が挙げられる。
【００８２】
また、上記ハロゲンとしては、例えば、塩素、臭素、ヨウ素が挙げられる。
【００８３】
式（８）〜（１０）で表される化合物、ハロゲン化水素及びハロゲンからなる群（第一の化合物群）から選択される１種又は２種以上の化合物を、尿素に対して０．００１〜１０モル当量用いて、電解を行う。好ましくは、０．０１〜５モル等量である。
【００８４】
さらに、本発明の電解酸化反応は、第一の化合物群から選ばれる少なくとも１種の化合物に加え、前記で選択された化合物とは異なる、式（１１）で表される化合物及びハロゲンからなる第二の化合物群より選ばれる少なくとも１種を併用して、電解を行うことが有効である。この場合、第二の化合物群より選ばれる少なくとも１種の化合物は、第一の化合物群から選ばれる化合物と同時に添加してもよく、別々に添加するか、時間を開けて添加してもよい。
【００８５】
【化１２】
2012147953.tif 000013
【００８６】
（式中、Ｍ’は、Ｌｉ、Ｎａ、Ｋ、Ｍｇ、Ｃａ、Ｔｉ、Ｚｒ、Ｍｎ、Ｆｅ、Ｎｉ、Ｃｕ、Ａｇ、Ｚｎ、Ａｌ、Ｓｉ、Ｓｎ等の金属イオン、式（９）で表される化合物のカチオン部分又はＨを示し、Ｘ’は、ハロゲンイオン、式（１０）で表される化合物のアニオン部分、ＢＦ４アニオン、ＰＦ６アニオン、ＰＯ４アニオン、Ｈ２ＰＯ４アニオン、ＨＰＯ４アニオン、ＰＯ３アニオン、ＨＰＯ３アニオン、ＰＯ２アニオン、ＨＳＯ４アニオン、ＳＯ４アニオン、ＳＯ３アニオン、ＨＳＯ３アニオン、ＳＯ２アニオン、ＢＯ３アニオン、ＨＢＯ３アニオン、Ｈ２ＢＯ３アニオン、アルミン酸アニオン、ケイ酸アニオン、チタン酸アニオン等の無機アニオンと、スルホン酸アニオン、スルフィン酸アニオン、スルフェン酸アニオン、ホスホン酸アニオン、ホスフィン酸アニオン、ＯＣＯＲ５アニオン、ＯＣＯＲ６ＣＸ’’３アニオン、トリフルオロメタンスルホン酸アニオン、ビストリフルオロメタンスルホニルイミドアニオン、シュウ酸アニオン、マレイン酸アニオン、クエン酸アニオン、乳酸アニオン、グリコール酸アニオン、リンゴ酸アニオン、アジピン酸アニオン、安息香酸アニオン、テレフタル酸アニオン、マロン酸アニオン等の１価から多価の有機酸アニオンを示す（但し、Ｘ’がハロゲンイオン及び式（１０）で表される化合物のアニオン部分の場合、Ｍ’はＴｉ、Ｚｒ、Ａｌ、Ｓｉを除く。但し、ポリ塩化アルミニウムは除外されない。）。Ｘ’’はハロゲンを示し、Ｒ５はＨか、直鎖又は分岐状のアルキル基、アリール基及びこれらに置換基を有する基を示し、Ｒ６はアルキレン基、アリーレン基及びこれらに置換基を有する基を示す。ｉ及びｊは１〜４の整数を示す。）
式（１１）のＸ’におけるハロゲンイオンとしては、フッ素、塩素、臭素、ヨウ素が挙げられる。好ましくは、塩素、臭素、ヨウ素である。
【００８７】
式（１１）のＭ’がＨである場合、式（１１）で表される化合物としては無機酸が挙げられ、具体的には、塩化水素酸、過塩素酸、亜塩素酸、次亜塩素酸、臭化水素酸、過臭素酸、亜臭素酸、次亜臭素酸、沃化水素酸、過ヨウ素酸、亜ヨウ素酸、次亜ヨウ素酸、硫酸、亜硫酸、硝酸、亜硝酸、リン酸、亜リン酸、次亜リン酸、ホウ酸、ケイ酸、アルミン酸、チタン酸等が挙げられる。
【００８８】
好ましくは、塩化水素酸、臭化水素酸、硫酸、リン酸、ホウ酸等を挙げることができるが、これらに限定されるものではない。
【００８９】
Ｘ’がハロゲンイオンの場合、式（１１）で表される化合物としては、ハロゲン化水素、金属ハロゲン化物および式（９）で表されるカチオン部分とのハロゲン塩等が挙げられる。
【００９０】
ハロゲン化水素としては、例えば、塩化水素、臭化水素、沃化水素等が挙げられる。
【００９１】
好ましくは、塩化水素、臭化水素を挙げることができるが、これら化合物に限定されるものではない。
【００９２】
金属ハロゲン化物としては、例えば、フッ化リチウム、フッ化ナトリウム、フッ化カリウム、フッ化カルシウム、フッ化マグネシウム、フッ化鉄、フッ化チタン、フッ化アルミニウム、塩化リチウム、塩化ナトリウム、塩化カリウム、塩化カルシウム、塩化銅、塩化マグネシウム、塩化鉄、塩化アルミニウム、ポリ塩化アルミニウム、塩化亜鉛、塩化ニッケル、塩化錫、塩化銀、臭化リチウム、臭化ナトリウム、臭化カリウム、臭化カルシウム、臭化銅、臭化マグネシウム、臭化鉄、臭化マンガン、臭化アルミニウム、臭化亜鉛、臭化ニッケル、臭化錫、臭化銀、沃化リチウム、沃化ナトリウム、沃化カリウム、沃化カルシウム、沃化銅、沃化マグネシウム、沃化鉄、沃化マンガン、沃化アルミニウム、沃化亜鉛、沃化ニッケル、沃化錫、沃化銀等が挙げられる。
【００９３】
好ましくは、塩化リチウム、塩化ナトリウム、塩化カリウム、塩化カルシウム、塩化マグネシウム、塩化亜鉛、塩化鉄、塩化銅、塩化水素、臭化リチウム、臭化ナトリウム、臭化カリウム、臭化カルシウム、臭化マグネシウム、臭化亜鉛、臭化銅、臭化水素、沃化リチウム、沃化ナトリウム、沃化カリウム、沃化銅、沃化水素を挙げることができるが、これらの化合物に限定されるものではない。
【００９４】
Ｘ’が式（１０）で表される化合物のアニオン部分の場合、式（１１）で表される化合物としては、ハロゲン酸化物が挙げられる。
【００９５】
ハロゲン酸化物としては、例えば、次亜塩素酸、次亜塩素酸アンモニウム、次亜塩素酸リチウム、亜塩素酸、亜塩素酸アンモニウム、亜塩素酸リチウム、塩素酸、塩素酸アンモニウム、塩素酸リチウム、過塩素酸、過塩素酸アンモニウム、過塩素酸リチウム、次亜塩素酸ナトリウム、亜塩素酸ナトリウム、塩素酸ナトリウム、過塩素酸ナトリウム、次亜塩素酸カリウム、亜塩素酸カリウム、塩素酸カリウム、過塩素酸カリウム、次亜塩素酸カルシウム、亜塩素酸カルシウム、塩素酸カルシウム、過塩素酸カルシウム、次亜塩素酸マグネシウム、亜塩素酸マグネシウム、塩素酸マグネシウム、過塩素酸マグネシウム、次亜臭素酸、次亜臭素酸アンモニウム、次亜臭素酸リチウム、亜臭素酸、亜臭素酸アンモニウム、亜臭素酸リチウム、臭素酸リチウム、過臭素酸、過臭素酸アンモニウム、過臭素酸リチウム、次亜臭素酸ナトリウム、亜臭素酸ナトリウム、臭素酸ナトリウム、過臭素酸ナトリウム、次亜臭素酸カリウム、亜臭素酸カリウム、臭素酸カリウム、過臭素酸カリウム、次亜臭素酸カルシウム、亜臭素酸カルシウム、臭素酸カルシウム、過臭素酸カルシウム、次亜臭素酸マグネシウム、次亜沃素酸、次亜沃素酸アンモニウム、次亜沃素酸リチウム、亜ヨウ素酸、亜ヨウ素酸アンモニウム、亜沃素酸リチウム、ヨウ素酸、ヨウ素酸アンモニウム、沃素酸リチウム、過ヨウ素酸、過沃素酸リチウム、次亜沃素酸ナトリウム、亜沃素酸ナトリウム、沃素酸ナトリウム、過沃素酸ナトリウム、次亜沃素酸カリウム、亜沃素酸カリウム、過沃素酸カリウム、次亜沃素酸カルシウム、亜沃素酸カルシウム、沃素酸カルシウム、過沃素酸カルシム、次亜沃素酸マグネシウム、亜沃素酸マグネシウム、沃素酸マグネシウム、過沃素酸マグネシウム等が挙げられる。
【００９６】
好ましくは、次亜塩素酸ナトリウム、塩素酸ナトリウム、次亜塩素酸カリウム、塩素酸カリウム、次亜塩素酸カルシウム、塩素酸カルシウム、次亜塩素酸マグネシウム、塩素酸マグネシウム、次亜臭素酸ナトリウム、臭素酸ナトリウム、次亜臭素酸カリウム、臭素酸カリウム、次亜臭素酸カルシウム、臭素酸カルシウム、次亜臭素酸マグネシウム、臭素酸マグネシウム、次亜沃素酸ナトリウム、沃素酸ナトリウム、次亜沃素酸カリウム、沃素酸カリウム、次亜沃素酸カルシウム、沃素酸カルシウム、次亜沃素酸マグネシウム、沃素酸マグネシウム等を挙げることができるが、これらの化合物に限定されるものではない。
【００９７】
Ｘ’がＢＦ４アニオンの場合、式（１１）で表される化合物としては、テトラフルオロホウ酸塩、テトラフルオロホウ酸アゾニア塩、テトラフルオロホウ酸ホスホニウム塩等が挙げられる。
【００９８】
テトラフルオロホウ酸塩としては、例えば、テトラフルオロホウ酸リチウム、テトラフルオロホウ酸ナトリウム、テトラフルオロホウ酸カリウム、テトラフルオロホウ酸カルシウム、テトラフルオロホウ酸マグネシウム、テトラフルオロホウ酸アルミニウム、テトラフルオロホウ酸ニッケル、テトラフルオロホウ酸銀、テトラフルオロホウ酸亜鉛、テトラフルオロホウ酸鉄等が挙げられる。
【００９９】
テトラフルオロホウ酸アゾニア塩の具体例としては、テトラフルオロホウ酸アンモニウム、テトラフルオロホウ酸第１級アンモニウム塩、テトラフルオロホウ酸第２級アンモニウム塩、テトラフルオロホウ酸第３級アンモニウム塩、テトラフルオロホウ酸第４級アンモニウム塩である。
【０１００】
テトラフルオロホウ酸アンモニウム塩としては、例えば、モノメチルアンモニウムテトラフルオロボレート、ジメチルアンモニウムテトラフルオロボレート、トリメチルアンモニウムテトラフルオロボレート、テトラメチルアンモニウムテトラフルオロボレート、エチルアンモニウムテトラフルオロボレート、ジエチルアンモニウムテトラフルオロボレート、トリエチルアンモニウムテトラフルオロボレート、テトラエチルアンモニウムテトラフルオロボレート、トリエチルメチルアンモニウムテトラフルオロボレート、シクロヘキシルトリメチルアンモニウムテトラフルオロボレート等が挙げられる。
【０１０１】
また、アリールアンモニウムテトラフルオロホウ酸塩の具体例としては、例えば、フェニルトリメチルアンモニウムテトラフルオロボレート、ジフェニルジメチルアンモニウムテトラフルオロボレート、フェニルトリメチルアンモニウムテトラフルオロボレート等が挙げられる。
【０１０２】
また、ピラゾリウムテトラフルオロホウ酸塩としては、例えば、１−Ｎ−ジメチルピラゾリウムテトラフルオロボレート、１−Ｎ−ジエチルピラゾリウムテトラフルオロボレート、１−Ｎ−イソプロピル−１−メチルピラゾリウムテトラフルオロボレート、１−メチル−１−エチルピラゾリウムテトラフルオロボレート、１−メチル−１−メトキシエチルピラゾリウムテトラフルオロボレート等を挙げることができる。
【０１０３】
また、イミダゾリウムテトラフルオロホウ酸塩としては、例えば、１−ブチル−２，３−ジメチルイミダゾリウムテトラフルオロボレート、１−ブチル−３−メチルイミダゾリウムテトラフルオロボレート、１，３−ジメチルイミダゾリウムテトラフルオロボレート、１，２−ジメチル−３−プロピルイミダゾリウムテトラフルオロボレート、１−エチル−３−メチルイミダゾリウムテトラフルオロボレート、１−ヘキシル−３−メチルイミダゾリウムテトラフルオロボレート、１−メチル−３−ｎ−オクチルイミダゾリウムテトラフルオロボレート等が挙げられる。
【０１０４】
また、ピリミジニウムテトラフルオロホウ酸塩としては、例えば、１−メチルピリミジニウムテトラフルオロボレート、１−エチルピリミジニウムテトラフルオロボレート、１−プロピルピリミジニウムテトラフルオロボレート、１−イソプロピルピリミジニウムテトラフルオロボレート、１−メトキシエチルピリミジニウムテトラフルオロボレート、１−ベンジルピリミジニウムテトラフルオロボレート等を挙げることができる。
【０１０５】
また、オキサゾリウムテトラフルオロホウ酸塩としては、例えば、Ｎ−メチルオキサゾリウムテトラフルオロボレート、Ｎ−エチルオキサゾリウムテトラフルオロボレート、Ｎ−イソプロピルオキサゾリウムテトラフルオロボレート、Ｎ−ベンジルオキサゾリウムテトラフルオロボレート、Ｎ−メトキシエチルオキサゾリウムテトラフルオロボレート等を挙げることができる。
【０１０６】
また、チアゾリウムテトラフルオロホウ酸塩としては、例えば、Ｎ−メチルチアゾリウムテトラフルオロボレート、Ｎ−エチルチアゾリウムテトラフルオロボレート、Ｎ−イソプロピルチアゾリウムテトラフルオロボレート、Ｎ−ベンジルチアゾリウムテトラフルオロボレート、Ｎ−メトキシエチルチアゾリウムテトラフルオロボレート等を挙げることができる。
【０１０７】
また、プリニウムテトラフルオロホウ酸塩としては、例えば、１，１−ジメチルプリニウムテトラフルオロボレート、１，１−ジエチルプリニウムテトラフルオロボレート、１，１−プロピルプリニウムテトラフルオロボレート、１−メチル−１−エチルプリニウムテトラフルオロボレート、１−メトキシエチル−１−メチルプリニウムテトラフルオロボレート等を挙げることができる。
【０１０８】
また、トリアゾリウムテトラフルオロホウ酸塩としては、例えば、１，１−ジメチルトリアゾリウムテトラフルオロボレート、１，１−ジエチルトリアゾリウムテトラフルオロボレート、１−メチル−１−エチルトリアゾリウムテトラフルオロボレート、１−メチル−１−メトキシエチルトリアゾリウムテトラフルオロボレート、１−メチル−１−プロピルトリアゾリウムテトラフルオロボレート等を挙げることができる。
【０１０９】
また、テトラゾリウムテトラフルオロホウ酸塩としては、例えば、１，１−ジメチルテトラゾリウムテトラフルオロボレート、１，１−ジエチルテトラゾリウムテトラフルオロボレート、１，１−プロピルテトラゾリウムテトラフルオロボレート、１−メチル−１−エチルテトラゾリウムテトラフルオロボレート、１−メトキシエチル−１−エチルテトラゾリウムテトラフルオロボレート、１−メチル−１−プロピルテトラゾリウムテトラフルオロボレート等を挙げることができる。
【０１１０】
また、トリアジニウムテトラフルオロホウ酸塩としては、例えば、１−メチルトリアジニウムテトラフルオロボレート、１−エチルトリアジニウムテトラフルオロボレート、１−イソプロピルトリアジニウムテトラフルオロボレート、１−ベンジルトリアジニウムテトラフルオロボレート、１−ブチルトリアジニウムテトラフルオロボレート等を挙げることができる。
【０１１１】
また、ピラジニウムテトラフルオロホウ酸塩としては、例えば、１−メチルピラジニウムテトラフルオロボレート、１−エチルピラジニウムテトラフルオロボレート、１−プロピルピラジニウムテトラフルオロボレート、１−イソプロピルピラジニウムテトラフルオロボレート、１−メトキシエチルピラジニウムテトラフルオロボレート等を挙げることができる。
【０１１２】
また、フェノチアジニウムテトラフルオロホウ酸塩としては、例えば、１０，１０−ジメチルフェノチアジニウムテトラフルオロボレート、１０，１０−ジエチルフェノチアジニウムテトラフルオロボレート、１０−メチル−１０−エチルフェノチアジニウムテトラフルオロボレート、１０−メトキシエチル−１０−エチルフェノチアジニウムテトラフルオロボレート、１０−メトキシエチル−１０−メチルフェノチアジニウムテトラフルオロボレート等を挙げることができる。
【０１１３】
また、フェナジニウムテトラフルオロホウ酸塩としては、例えば、５，５−ジメチルフェナジニウムテトラフルオロボレート、５，５−ジエチルフェナジニウムテトラフルオロボレート、５−メチル−５−エチルフェナジニウムテトラフルオロボレート、５−メトキシエチル−５−エチルフェナジニウムテトラフルオロボレート、５−メチル−５−プロピルフェナジニウムテトラフルオロボレート等を挙げることができる。
【０１１４】
また、モルフォリニウムテトラフルオロホウ酸塩としては、４，４−ジメチルモルフォリニウムテトラフルオロボレート、４，４−ジエチルモルフォリニウムテトラフルオロボレート、４−メチル−４−エチルモルフォリニウムテトラフルオロボレート、４−エチル−４−プロピルモルフォリニウムテトラフルオロボレート、４−メトキシエチル−４−エチルモルフォリニウムテトラフルオロボレート等が挙げられる。
【０１１５】
また、ピペラジニウムテトラフルオロホウ酸塩としては、例えば、１，１−ジメチルピペラジニウムテトラフルオロボレート、１−メチル−１−エチルピペラジニウムテトラフルオロボレート、１−メチル−１−メトキシエチルピペラジニウムテトラフルオロボレート、１，１−ジエチルピペラジニウムテトラフルオロボレート等を挙げることができる。
【０１１６】
また、ピラゾリジニウムテトラフルオロホウ酸塩としては、例えば、１，１−ジメチルピラゾリジニウムテトラフルオロボレート、１−メチル−１−エチルピラゾリジニウムテトラフルオロボレート、１−メチル−１−メトキシエチルピラゾリジニウムテトラフルオロボレート、１，１−ジエチルピラゾリジニウムテトラフルオロボレート、１，１−ジプロピルチルピラゾリジニウムテトラフルオロボレート等を挙げることができる。
【０１１７】
また、イソオキサゾリニウムテトラフルオロホウ酸塩としては、例えば、２，２−ジメチルイソオキサゾリニウムテトラフルオロボレート、２，２−ジエチルイソオキサゾリニウムテトラフルオロボレート、２，２−ジプロピルイソオキサゾリニウムテトラフルオロボレート、２−メチル−２−プロピルイソオキサゾリニウムテトラフルオロボレート、２−メチル−２−エチルイソオキサゾリニウムテトラフルオロボレート、２−エチル−２−メトキシエチルイソオキサゾリニウムテトラフルオロボレート等を挙げることができる。
【０１１８】
また、ピラジニウムテトラフルオロホウ酸塩としては、例えば、１−メチルピラジニウムテトラフルオロボレート、１−エチルピラジニウムテトラフルオロボレート、１−イソプロピルピラジニウムテトラフルオロボレート、１−ベンジルピラジニウムテトラフルオロボレート、１−メトキシエチルピラジニウムテトラフルオロボレート等を挙げることができる。
【０１１９】
また、ピペリジニウムテトラフルオロホウ酸塩としては、例えば、１，１−ジメチルピペリジニウムテトラフルオロボレート、１，１−ジエチルピペリジニウムテトラフルオロボレート、１，１−ジプロピルピペリジニウムテトラフルオロボレート、１−メチル−１−エチルピペリジニウムテトラフルオロボレート、１−メチル−１−メトキシエチルピペリジニウムテトラフルオロボレート等を挙げることができる。
【０１２０】
また、ピロリジニウムテトラフルオロホウ酸塩としては、例えば、１，１−ジメチルピロリジニウムテトラフルオロボレート、１−メチル−１−エチルピロリジニウムテトラフルオロボレート、１-ブチル-1-メチルピロリジニウムテトラフルオロボレート、1-メチル-1-プロピルピロリジニウムテトラフルオロボレート、１−メチル−１−メトキシメチルピロリジニウムテトラフルオロボレート、１−エチル−１−メトキシメチルピロリジニウムテトラフルオロボレート、１−メトキシエトキシメチル−１−メチルピロジニウムテトラフルオロボレート等が挙げられる。
【０１２１】
また、ピリジニウムテトラフルオロホウ酸塩としては、例えば、１−ブチル−４−メチルピリジニウムテトラフルオロボレート、１−ブチル−３−メチルピリジニウムテトラフルオロボレート、１−ブチルピリジニウムテトラフルオロボレート、１−エチルピリジニウムテトラフルオロボレート、３−フルオロピリジニウムテトラフルオロボレート、２−フルオロ−Ｎ−メチルピリジニウムテトラフルオロボレート、１−メチルピリジニウムテトラフルオロボレート等が挙げられる。
【０１２２】
スピロ化合物テトラフルオロホウ酸塩としては、例えば、５−アゾニアスピロ［４．４］ノナンテトラフルオロボレート、５−アゾニアスピロ[５．５]ウンデカノンテトラフルオロボレート等を挙げることができる。
【０１２３】
また、ホスホニウムテトラフルオロホウ酸塩としては、例えば、テトラメチルホスホニウムテトラフルオロボレート、テトラエチルホスホニウムテトラフルオロボレート、テトラプロピルホスホニウムテトラフルオロボレート、テトラブチルホスホニウムテトラフルオロボレート、ジメチル、ジエチルホスホニウムテトラフルオロボレート、ジメチル、ジブチルホスホニウムテトラフルオロボレート、メチル、エチル、プロピル、ブチルホスホニウムテトラフルオロボレート、テトラフェニルホスホニウムテトラフルオロボレート、ジメチル、ジフェニルホスホニウムテトラフルオロボレート、ジプロピル、ジフェニルホスホニウムテトラフルオロボレート等を挙げることができる。
【０１２４】
これらＸ’がＢＦ４アニオンである式（１１）で表される化合物の中でも、テトラフルオロホウ酸リチウム、テトラフルオロホウ酸ナトリウム、テトラフルオロホウ酸カリウム、テトラフルオロホウ酸カルシム、テトラフルオロホウ酸マグネシウム、テトラフルオロホウ酸銀、テトラメチルアンモニウムテトラフルオロボレート、テトラエチルアンモニウムテトラフルオロボレート、１−Ｎ−ジメチルピラゾールテトラフルオロボレート、１−メチル−１−エチルピラゾールテトラフルオロボレート、１，３−ジメチルイミダゾリウムテトラフルオロボレート、１−エチル−３−メチルイミダゾリウムテトラフルオロボレート、１−メチルピリミジンテトラフルオロボレート、１−メトキシエチルピリミジンテトラフルオロボレート、Ｎ−メチルオキサゾールテトラフルオロボレート、Ｎ−エチルオキサゾールテトラフルオロボレート、Ｎ−メチルチアゾールテトラフルオロボレート、Ｎ−エチルチアゾールテトラフルオロボレート、１，１−ジメチルプリンテトラフルオロボレート、１，１−ジエチルプリンテトラフルオロボレート、１，１−ジメチルトリアゾールテトラフルオロボレート、１−メチル−１−エチルトリアゾールテトラフルオロボレート、１，１−ジメチルテトラゾールテトラフルオロボレート、１，１−ジエチルテトラゾールテトラフルオロボレート、１−メチルトリアジンテトラフルオロボレート、１−エチルトリアジンテトラフルオロボレート、１−メチルピラジンテトラフルオロボレート、１−エチルピラジンテトラフルオロボレート、１０，１０−ジメチルフェノチアジンテトラフルオロボレート、１０−メチル−１０−エチルフェノチアジンテトラフルオロボレート、５，５−ジメチルフェナジンテトラフルオロボレート、５，５−ジエチルフェナジンテトラフルオロボレート、４，４−ジメチルモルフォリンテトラフルオロボレート、４−メチル−４−エチルモルフォリンテトラフルオロボレート、１，１−ジメチルピペラジンテトラフルオロボレート、１−メチル−１−メトキシエチルピペラジンテトラフルオロボレート、１，１−ジメチルピラゾリジンテトラフルオロボレート、１−メチル−１−エチルピラゾリジンテトラフルオロボレート、２，２−ジメチルイソオキサゾリンテトラフルオロボレート、２，２−ジエチルイソオキサゾリンテトラフルオロボレート、１−メチルピラジンテトラフルオロボレート、１−エチルピラジンテトラフルオロボレート、１，１−ジメチルピペリジンテトラフルオロボレート、１−メチル−１−メトキシエチルピペリジンテトラフルオロボレート、１−ブチル−４−メチルピリジニウムテトラフルオロボレート、２−フルオロ−Ｎ−メチルピリジニウムテトラフルオロボレート、５−アゾニアスピロ［４．４］ノナンテトラフルオロボレート等を好ましいテトラフルオロホウ酸塩、テトラフルオロホウ酸アゾニア塩、テトラフルオロホウ酸ホスホニウム塩として挙げることができるが、これらの化合物に限定されるものではない。
【０１２５】
Ｘ’がＰＦ６アニオンの場合、式（１１）で表される化合物としては、ヘキサフルオロリン酸塩、ヘキサフルオロリン酸アゾニア塩等が挙げられる。
【０１２６】
ヘキサフルオロリン酸塩としては、例えば、ヘキサフルオロリン酸リチウム、ヘキサフルオロリン酸ナトリウム、ヘキサフルオロリン酸カリウム、ヘキサフルオロリン酸マグネシウム、ヘキサフルオロリン酸カルシウム、ヘキサフルオロリン酸ニッケル、ヘキサフルオロリン酸銅、ヘキサフルオロリン酸銀、ヘキサフルオロリン酸鉄、ヘキサフルオロリン酸亜鉛、ヘキサフルオロリン酸アルミニウム等が挙げられる。
【０１２７】
好ましくは、ヘキサフルオロリン酸リチウム、ヘキサフルオロリン酸ナトリウム、ヘキサフルオロリン酸カリウム、ヘキサフルオロリン酸カルシウム、ヘキサフルオロリン酸ニッケル、ヘキサフルオロリン酸銀を挙げることができるが、これ等の化合物に限定されるものではない。
【０１２８】
ヘキサフルオロリン酸アゾニア塩としては、例えば、ヘキサフルオロリン酸アンモニウム、ヘキサフルオロリン酸第１アモニウム塩、ヘキサフルオロリン酸第２級アンモニウム塩、ヘキサフルオロリン酸第３級アンモニウム塩、ヘキサフルオロリン酸第４級アンモニウム塩である。
【０１２９】
ヘキサフルオロリン酸アンモニウム塩としては、例えば、モノメチルアンモニウムヘキサフルオロホスフェート、ジメチルアンモニウムヘキサフルオロホスフェート、トリメチルアンモニウムヘキサフルオロホスフェート、テトラメチルアンモニウムヘキサフルオロホスフェート、エチルアンモニウムヘキサフルオロホスフェート、ジエチルアンモニウムヘキサフルオロホスフェート、トリエチルアンモニウムヘキサフルオロホスフェート、テトラエチルアンモニウムヘキサフルオロホスフェート、トリエチルメチルアンモニウムヘキサフルオロホスフェート、シクロヘキシルトリメチルアンモニウムヘキサフルオロホスフェート等が挙げられる。
【０１３０】
また、アリールアンモニウムヘキサフルオロリン酸塩としては、例えば、フェニルトリメチルアンモニウムヘキサフルオロホスフェート、ジフェニルジメチルアンモニウムヘキサフルオロホスフェート、フェニルトリメチルアンモニウムヘキサフルオロホスフェート等が挙げられる。
【０１３１】
また、ピラゾリウムヘキサフルオロリン酸塩としては、例えば、１−Ｎ−ジメチルピラゾリウムヘキサフルオロホスフェート、１−Ｎ−ジエチルピラゾリウムヘキサフルオロホスフェート、１−Ｎ−イソプロピル−１−メチルピラゾリウムヘキサフルオロホスフェート、１−メチル−１−エチルピラゾリウムヘキサフルオロホスフェート、１−メチル−１−メトキシエチルピラゾリウムヘキサフルオロホスフェート等を挙げることができる。
【０１３２】
また、イミダゾリウムヘキサフルオロリン酸塩としては、例えば、１−ブチル−２，３−ジメチルイミダゾリウムヘキサフルオロホスフェート、１−ブチル−３−メチルイミダゾリウムヘキサフルオロホスフェート、１，３−ジメチルイミダゾリウムヘキサフルオロホスフェート、１，２−ジメチル−３−プロピルイミダゾリウムヘキサフルオロホスフェート、１−エチル−３−メチルイミダゾリウムヘキサフルオロホスフェート、１−ヘキシル−３−メチルイミダゾリウムヘキサフルオロホスフェート、１−メチル−３−ｎ−オクチルイミダゾリウムヘキサフルオロホスフェート等が挙げられる。
【０１３３】
また、ピリミジニウムヘキサフルオロリン酸塩としては、例えば、１−メチルピリミジニウムヘキサフルオロホスフェート、１−エチルピリミジニウムヘキサフルオロホスフェート、１−プロピルピリミジニウムヘキサフルオロホスフェート、１−イソプロピルピリミジニウムヘキサフルオロホスフェート、１−メトキシエチルピリミジニウムヘキサフルオロホスフェート、１−ベンジルピリミジニウムヘキサフルオロホスフェート等を挙げることができる。
【０１３４】
また、オキサゾリウムヘキサフルオロリン酸塩としては、例えば、Ｎ−メチルオキサゾリウムヘキサフルオロホスフェート、Ｎ−エチルオキサゾリウムヘキサフルオロホスフェート、Ｎ−イソプロピルオキサゾリウムヘキサフルオロホスフェート、Ｎ−ベンジルオキサゾリウムヘキサフルオロホスフェート、Ｎ−メトキシエチルオキサゾリウムヘキサフルオロホスフェート等を挙げることができる。
【０１３５】
また、チアゾリウムヘキサフルオロリン酸塩としては、例えば、Ｎ−メチルチアゾリウムヘキサフルオロホスフェート、Ｎ−エチルチアゾリウムヘキサフルオロホスフェート、Ｎ−イソプロピルチアゾリウムヘキサフルオロホスフェート、Ｎ−ベンジルチアゾリウムヘキサフルオロホスフェート、Ｎ−メトキシエチルチアゾリウムヘキサフルオロホスフェート等を挙げることができる。
【０１３６】
また、プリニウムヘキサフルオロリン酸塩としては、例えば、１，１−ジメチルプリニウムヘキサフルオロホスフェート、１，１−ジエチルプリニウムヘキサフルオロホスフェート、１，１−プロピルプリニウムヘキサフルオロホスフェート、１−メチル−１−エチルプリニウムヘキサフルオロホスフェート、１−メトキシエチル−１−メチルプリニウムヘキサフルオロホスフェート等を挙げることができる。
【０１３７】
また、トリアゾリウムヘキサフルオロリン酸塩としては、例えば、１，１−ジメチルトリアゾリウムヘキサフルオロホスフェート、１，１−ジエチルトリアゾリウムヘキサフルオロホスフェート、１−メチル−１−エチルトリアゾリウムヘキサフルオロホスフェート、１−メチル−１−メトキシエチルトリアゾリウムヘキサフルオロホスフェート、１−メチル−１−プロピルトリアゾリウムヘキサフルオロホスフェート等を挙げることができる。
【０１３８】
また、テトラゾリウムヘキサフルオロリン酸塩としては、例えば、１，１−ジメチルテトラゾリウムヘキサフルオロホスフェート、１，１−ジエチルテトラゾリウムヘキサフルオロホスフェート、１，１−プロピルテトラゾリウムヘキサフルオロホスフェート、１−メチル−１−エチルテトラゾリウムヘキサフルオロホスフェート、１−メトキシエチル−１−エチルテトラゾリウムヘキサフルオロホスフェート、１−メチル−１−プロピルテトラゾリウムヘキサフルオロホスフェート等を挙げることができる。
【０１３９】
また、トリアジニウムヘキサフルオロリン酸塩としては、例えば、１−メチルトリアジニウムヘキサフルオロホスフェート、１−エチルトリアジニウムヘキサフルオロホスフェート、１−イソプロピルトリアジニウムヘキサフルオロホスフェート、１−ベンジルトリアジニウムヘキサフルオロホスフェート、１−ブチルトリアジニウムヘキサフルオロホスフェート等を挙げることができる。
【０１４０】
また、ピラジニウムヘキサフルオロリン酸塩としては、例えば、１−メチルピラジニウムヘキサフルオロホスフェート、１−エチルピラジニウムヘキサフルオロホスフェート、１−プロピルピラジニウムヘキサフルオロホスフェート、１−イソプロピルピラジニウムヘキサフルオロホスフェート、１−メトキシエチルピラジニウムヘキサフルオロホスフェート等を挙げることができる。
【０１４１】
また、フェノチアジニウムヘキサフルオロリン酸塩としては、例えば、１０，１０−ジメチルフェノチアジニウムヘキサフルオロホスフェート、１０，１０−ジエチルフェノチアジニウムヘキサフルオロホスフェート、１０−メチル−１０−エチルフェノチアジニウムヘキサフルオロホスフェート、１０−メトキシエチル−１０−エチルフェノチアジニウムヘキサフルオロホスフェート、１０−メトキシエチル−１０−メチルフェノチアジニウムヘキサフルオロホスフェート等を挙げることができる。
【０１４２】
また、フェナジニウムヘキサフルオロリン酸塩としては、例えば、５，５−ジメチルフェナジニウムヘキサフルオロホスフェート、５，５−ジエチルフェナジニウムヘキサフルオロホスフェート、５−メチル−５−エチルフェナジニウムヘキサフルオロホスフェート、５−メトキシエチル−５−エチルフェナジニウムヘキサフルオロホスフェート、５−メチル−５−プロピルフェナジニウムヘキサフルオロホスフェート等を挙げることができる。
【０１４３】
また、モルフォリニウムヘキサフルオロリン酸塩としては、例えば、４，４−ジメチルモルフォリニウムヘキサフルオロホスフェート、４，４−ジエチルモルフォリニウムヘキサフルオロホスフェート、４−メチル−４−エチルモルフォリニウムヘキサフルオロホスフェート、４−エチル−４−プロピルモルフォリニウムヘキサフルオロホスフェート、４−メトキシエチル−４−エチルモルフォリニウムヘキサフルオロホスフェート等が挙げられる。
【０１４４】
また、ピペラジニウムヘキサフルオロリン酸塩としては、例えば、１，１−ジメチルピペラジニウムヘキサフルオロホスフェート、１−メチル−１−エチルピペラジニウムヘキサフルオロホスフェート、１−メチル−１−メトキシエチルピペラジニウムヘキサフルオロホスフェート、１，１−ジエチルピペラジニウムヘキサフルオロホスフェート、１，１−ジエチルピペラジニウムヘキサフルオロホスフェート等を挙げることができる。
【０１４５】
また、ピラゾリジニウムヘキサフルオロリン酸塩としては、例えば、１，１−ジメチルピラゾリジニウムヘキサフルオロホスフェート、１−メチル−１−エチルピラゾリジニウムヘキサフルオロホスフェート、１−メチル−１−メトキシエチルピラゾリジニウムヘキサフルオロホスフェート、１，１−ジエチルピラゾリジニウムヘキサフルオロホスフェート、１，１−ジプロピルピラゾリジニウムヘキサフルオロホスフェート等を挙げることができる。
【０１４６】
また、イソオキサゾリニウムヘキサフルオロリン酸塩としては、例えば、２，２−ジメチルイソオキサゾリニウムヘキサフルオロホスフェート、２，２−ジエチルイソオキサゾリニウムヘキサフルオロホスフェート、２，２−ジプロピルイソオキサゾリニウムテトラフルオロボレート、２−メチル−２−プロピルイソオキサゾリニウムヘキサフルオロホスフェート、２−メチル−２−エチルイソオキサゾリニウムヘキサフルオロホスフェート、２−エチル−２−メトキシエチルイソオキサゾリニウムヘキサフルオロホスフェート等を挙げることができる。
【０１４７】
また、ピラジニウムヘキサフルオロリン酸塩としては、例えば、１−メチルピラジニウムヘキサフルオロホスフェート、１−エチルピラジニウムヘキサフルオロホスフェート、１−イソプロピルピラジニウムヘキサフルオロホスフェート、１−ベンジルピラジニウムヘキサフルオロホスフェート、１−メトキシエチルピラジニウムヘキサフルオロホスフェート等を挙げることができる。
【０１４８】
また、ピペリジニウムヘキサフルオロリン酸塩としては、例えば、１，１−ジメチルピペリジニウムヘキサフルオロホスフェート、１，１−ジエチルピペリジニウムヘキサフルオロホスフェート、１，１−ジプロピルピペリジニウムヘキサフルオロホスフェート、１−メチル−１−エチルピペリジニウムヘキサフルオロホスフェート、１−メチル−１−メトキシエチルピペリジニウムヘキサフルオロホスフェート等を挙げることができる。
【０１４９】
また、ピロリジニウムヘキサフルオロリン酸塩としては、例えば、１，１−ジメチルピロリジニウムヘキサフルオロホスフェート、１−メチル−１−エチルピロリジニウムヘキサフルオロホスフェート、１-ブチル-1-メチルピロリジニウムヘキサフルオロホスフェート、1-メチル-1-プロピルピロリジニウムヘキサフルオロホスフェート、１−メチル−１−メトキシメチルピロリジニウムヘキサフルオロホスフェート、１−エチル−１−メトキシメチルピロリジニウムヘキサフルオロホスフェート、１−メトキシエトキシメチル−１−メチルピロジニウムヘキサフルオロホスフェート等が挙げられる。
【０１５０】
また、ピリジニウムヘキサフルオロリン酸塩としては、例えば、１−ブチル−４−メチルピリジニウムヘキサフルオロホスフェート、１−ブチル−３−メチルピリジニウムヘキサフルオロホスフェート、１−ブチルピリジニウムヘキサフルオロホスフェート、１−エチルピリジニウムヘキサフルオロホスフェート、３−フルオロピリジニウムヘキサフルオロホスフェート、２−フルオロ−Ｎ−メチルピリジニウムヘキサフルオロホスフェート、１−メチルピリジニウムヘキサフルオロホスフェート等が挙げられる。
【０１５１】
スピロ化合物ヘキサフルオロリン酸塩としては、例えば、５−アゾニアスピロ［４．４］ノナンヘキサフルオロホスフェート、５−アゾニアスピロ[５．５]ウンデカノンヘキサフルオロホスフェート等を挙げることができる。
【０１５２】
また、ホスホニウムヘキサフルオロリン酸塩としては、例えば、テトラメチルホスホニウムヘキサフルオロホスフェート、テトラエチルホスホニウムヘキサフルオロホスフェート、テトラプロピルホスホニウムヘキサフルオロホスフェート、テトラブチルホスホニウムヘキサフルオロホスフェート、ジメチル、ジエチルホスホニウムヘキサフルオロホスフェート、ジメチル、ジブチルホスホニウムヘキサフルオロホスフェート、メチル、エチル、プロピル、ブチルホスホニウムヘキサフルオロホスフェート、テトラフェニルホスホニウムヘキサフルオロホスフェート、ジメチル、ジフェニルホスホニウムヘキサフルオロホスフェート、ジプロピル、ジフェニルホスホニウムヘキサフルオロホスフェート等を挙げることができる。
【０１５３】
これらＸ’がＰＦ６アニオンである式（１１）で表される化合物の中でも、テトラメチルアンモニウムヘキサフルオロホスフェート、テトラエチルアンモニウムヘキサフルオロホスフェート、１−メチルピリミジニウムヘキサフルオロホスフェート、１−エチルピリミジニウムヘキサフルオロホスフェート、１，３−ジメチルイミダゾリウムヘキサフルオロホスフェート、１−エチル−３−メチルイミダゾリウムヘキサフルオロホスフェート、１−メチルピリミジニウムヘキサフルオロホスフェート、１−エチルピリミジニウムヘキサフルオロホスフェート、Ｎ−メチルオキサゾリウムヘキサフルオロホスフェート、Ｎ−エチルオキサゾリウムヘキサフルオロホスフェート、Ｎ−メチルチアゾリウムヘキサフルオロホスフェート、Ｎ−エチルチアゾリウムヘキサフルオロホスフェート、１，１−ジメチルプリニウムヘキサフルオロホスフェート、１，１−ジエチルプリニウムヘキサフルオロホスフェート、１，１−ジメチルトリアゾリウムヘキサフルオロホスフェート、１−メチル−１−メトキシエチルトリアゾリウムヘキサフルオロホスフェート、１，１−ジメチルテトラゾリウムヘキサフルオロホスフェート、１，１−ジエチルテトラゾリウムヘキサフルオロホスフェート、１−メチルトリアジニウムヘキサフルオロホスフェート、１−エチルトリアジニウムヘキサフルオロホスフェート、１−メチルピラジニウムヘキサフルオロホスフェート、１−エチルピラジニウムヘキサフルオロホスフェート、１０，１０−ジメチルフェノチアジニウムヘキサフルオロホスフェート、１０−メトキシエチル−１０−メチルフェノチアジニウムヘキサフルオロホスフェート、５，５−ジメチルフェナジニウムヘキサフルオロホスフェート、５−メチル−５−エチルフェナジニウムヘキサフルオロホスフェート、４，４−ジメチルモルフォリニウムヘキサフルオロホスフェート、４−メチル−４−エチルモルフォリニウムヘキサフルオロホスフェート、１，１−ジメチルピペラジニウムヘキサフルオロホスフェート、１−メチル−１−エチルピペラジニウムヘキサフルオロホスフェート、１，１−ジメチルピラゾリジニウムヘキサフルオロホスフェート、１−メチル−１−エチルピラゾリジニウムヘキサフルオロホスフェート、２，２−ジメチルイソオキサゾリニウムヘキサフルオロホスフェート、２−メチル−２−エチルイソオキサゾリニウムヘキサフルオロホスフェート、１，１−ジメチルピペリジニウムヘキサフルオロホスフェート、１，１−ジエチルピペリジニウムヘキサフルオロホスフェート、１−ブチル−４−メチルピリジニウムヘキサフルオロホスフェート、２−フルオロ−Ｎ−メチルピリジニウムヘキサフルオロホスフェート、５−アゾニアスピロ［４．４］ノナンヘキサフルオロホスフェート等を好ましいヘキサフルオロリン酸塩、ヘキサフルオロリン酸アゾニア塩として挙げることができるが、特にこれら化合物に限定されるものではない。
【０１５４】
Ｘ’がＰＯ４アニオン、Ｈ２ＰＯ４アニオン、ＨＰＯ４アニオンの場合、式（１１）で表される化合物としては、例えば、リン酸、リン酸塩、リン酸１水素塩、リン酸２水素塩等が挙げられる。
【０１５５】
リン酸塩、リン酸１水素塩、リン酸２水素塩としては、例えば、リン酸アンモニウム、リン酸リチウム、リン酸ナトリウム、リン酸カリウム、リン酸マグネシウム、リン酸カルシウム、リン酸マンガン、リン酸鉄、リン酸ニッケル、リン酸銅、リン酸銀、リン酸亜鉛、リン酸アルミニウム、リン酸１水素アンモニウム、リン酸１水素リチウム、リン酸１水素ナトリウム、リン酸１水素カリウム、リン酸１水素マグネシウム、リン酸１水素カルシウム、リン酸１水素マンガン、リン酸１水素鉄、リン酸１水素ニッケル、リン酸１水素銅、リン酸１水素銀、リン酸１水素亜鉛、リン酸１水素アルミニウム、リン酸２水素アンモニウム、リン酸２水素リチウム、リン酸２水素ナトリウム、リン酸２水素カリウム、リン酸２水素マグネシウム、リン酸２水素カルシウム、リン酸２水素マンガン、リン酸２水素鉄、リン酸２水素ニッケル、リン酸２水素銅、リン酸２水素銀、リン酸２水素亜鉛、リン酸２水素アルミニウム等が挙げられる。
【０１５６】
好ましくは、リン酸アンモニウム、リン酸リチウム、リン酸ナトリウム、リン酸カリウム、リン酸鉄、リン酸ニッケル、リン酸銅、リン酸銀、リン酸亜鉛、リン酸１水素リチウム、リン酸１水素ナトリウム、リン酸１水素カリウム、リン酸１水素鉄、リン酸１水素ニッケル、リン酸１水素銅、リン酸１水素銀、リン酸１水素亜鉛、リン酸２水素リチウム、リン酸２水素ナトリウム、リン酸２水素カリウム、リン酸２水素鉄、リン酸２水素ニッケル、リン酸２水素銅、リン酸２水素銀、リン酸２水素亜鉛等を挙げることができるが、これらの化合物に限定されるものではない。
【０１５７】
さらに、式（９）及び（１１）の具体的化合物の記載において、リン酸アンモニウム、リン酸一水素アンモニウム、リン酸二水素アンモニウム、上に列記した各アゾニア塩例及びホスホニウム塩例のアニオン部分をリン酸塩、リン酸一水素塩、リン酸二水素塩と書き換えた化合物を示すものを挙げることができる。
【０１５８】
Ｘ’がＰＯ３アニオン、ＨＰＯ３アニオンの場合、上記リン酸塩類の化合物を亜リン酸、亜リン酸一水素と書き換えた化合物を示すものを挙げることができる。また式（９）及び（１１）の具体的化合物の記載において、亜リン酸アンモニウム、亜リン酸一水素アンモニウムおよび上に列記した各アゾニア塩及びホスホニウム塩のアニオン部分を亜リン酸塩、亜リン酸一水素塩と書き換えた化合物を挙げることができる。
【０１５９】
Ｘ’がＨＳＯ４アニオン、ＳＯ４アニオンの場合、式（１１）で表される化合物としては、例えば、硫酸、硫酸塩、硫酸１水素塩等が挙げられる。
【０１６０】
硫酸塩、硫酸１水素塩としては、例えば、硫酸、硫酸リチウム、硫酸ナトリウム、硫酸カリウム、硫酸マンガン、硫酸鉄、硫酸ニッケル、硫酸銀、硫酸亜鉛、硫酸アルミニウム、硫酸チタニウム、硫酸１水素リチウム、硫酸１水素ナトリウム、硫酸１水素カリウム、硫酸１水素マンガン、硫酸１水素鉄、硫酸１水素ニッケル、硫酸１水素銀、硫酸１水素亜鉛、硫酸１水素アルミニウム等が挙げられる。
【０１６１】
好ましくは、硫酸、硫酸リチウム、硫酸ナトリウム、硫酸カリウム、硫酸鉄、硫酸銀、硫酸アルミニウム、硫酸チタニウム、硫酸１水素リチウム、硫酸１水素ナトリウム、硫酸１水素カリウム、硫酸１水素鉄、硫酸１水素銀、硫酸１水素アルミニウム等を挙げることができるが、これらの化合物に限定されるものではない。
【０１６２】
さらに、式（９）及び（１１）の具体的化合物の記載において、硫酸アンモニウム、硫酸一水素アンモニウム及び上に列記したアゾニア塩及びホスホニウム塩のアニオン部分を硫酸塩、硫酸一水素又は硫酸一水素塩と書き換えた化合物を示すものを挙げることができる。
【０１６３】
Ｘ’がＳＯ３アニオン、ＨＳＯ３アニオン、ＳＯ２アニオンの場合、式（１１）で表される化合物としては、例えば、亜硫酸、亜硫酸塩、亜硫酸１水素塩、次亜硫酸、次亜硫酸塩等が挙げられる。
【０１６４】
亜硫酸塩、亜硫酸１水素塩、次亜硫酸、次亜硫酸塩の具体例としては、例えば、亜硫酸、亜硫酸リチウム、亜硫酸ナトリウム、亜硫酸カリウム、亜硫酸マンガン、亜硫酸鉄、亜硫酸ニッケル、亜硫酸銀、亜硫酸亜鉛、亜硫酸アルミニウム、亜硫酸チタニウム、亜硫酸１水素リチウム、亜硫酸１水素ナトリウム、亜硫酸１水素カリウム、亜硫酸１水素マンガン、亜硫酸１水素鉄、亜硫酸１水素ニッケル、亜硫酸１水素銀、亜硫酸１水素亜鉛、亜硫酸１水素アルミニウム、次亜硫酸、次亜硫酸リチウム、次亜硫酸ナトリウム、次亜硫酸カリウム、次亜硫酸マンガン、次亜硫酸鉄、次亜硫酸ニッケル、次亜硫酸銀、次亜硫酸亜鉛、次亜硫酸アルミニウム、次亜硫酸チタニウム等が挙げられる。
【０１６５】
好ましくは、亜硫酸、亜硫酸リチウム、亜硫酸ナトリウム、亜硫酸カリウム、亜硫酸鉄、亜硫酸銀、亜硫酸アルミニウム、亜硫酸チタニウム、亜硫酸１水素リチウム、亜硫酸１水素ナトリウム、亜硫酸１水素カリウム、亜硫酸１水素鉄、亜硫酸１水素銀、亜硫酸１水素アルミニウム、次亜硫酸、次亜硫酸リチウム、次亜硫酸ナトリウム、次亜硫酸カリウム、次亜硫酸ニッケル、次亜硫酸銀、次亜硫酸亜鉛等を挙げることができるが、これらの化合物に限定されるものではない。
【０１６６】
さらに、式（９）及び（１１）の記載において、亜硫酸アンモニウム、亜硫酸一水素アンモニウム、次亜硫酸アンモニウム及び上に列記したアゾニア塩及びホスホニウム塩のアニオン部分を亜硫酸塩、亜硫酸１水素塩、次亜硫酸塩と書き換えた化合物を示すものを挙げることができる。
【０１６７】
Ｘ’がＢＯ３アニオン、ＨＢＯ３アニオン、Ｈ２ＢＯ３アニオンの場合、式（１１）で表される化合物としては、ホウ酸、ホウ酸塩、ホウ酸１水素塩、ホウ酸２水素塩等が挙げられる。
【０１６８】
ホウ酸塩、ホウ酸１水素塩、ホウ酸２水素塩としては、例えば、ホウ酸リチウム、ホウ酸ナトリウム、ホウ酸カリウム、ホウ酸マグネシウム、ホウ酸カルシウム、ホウ酸マンガン、ホウ酸鉄、ホウ酸ニッケル、ホウ酸銅、ホウ酸銀、ホウ酸亜鉛、ホウ酸アルミニウム、ホウ酸錫、ホウ酸１水素リチウム、ホウ酸１水素ナトリウム、ホウ酸１水素カリウム、ホウ酸１水素マグネシウム、ホウ酸１水素カルシウム、ホウ酸１水素マンガン、ホウ酸１水素鉄、ホウ酸１水素ニッケル、ホウ酸１水素銅、ホウ酸１水素銀、ホウ酸１水素亜鉛、ホウ酸１水素アルミニウム、ホウ酸１水素錫、ホウ酸２水素リチウム、ホウ酸２水素ナトリウム、ホウ酸２水素カリウム、ホウ酸２水素マグネシウム、ホウ酸２水素カルシム、ホウ酸２水素マンガン、ホウ酸２水素鉄、ホウ酸２水素ニッケル、ホウ酸２水素銅、ホウ酸２水素銀、ホウ酸２水素亜鉛、ホウ酸２水素アルミニウム、ホウ酸２水素錫等が挙げられる。
【０１６９】
好ましくは、ホウ酸、ホウ酸リチウム、ホウ酸ナトリウム、ホウ酸カリウム、ホウ酸ニッケル、ホウ酸銀、ホウ酸アルミニウム、ホウ酸１水素リチウム、ホウ酸１水素ナトリウム、ホウ酸１水素カリウム、ホウ酸１水素ニッケル、ホウ酸１水素銀、ホウ酸１水素アルミニウム、ホウ酸２水素リチウム、ホウ酸２水素ナトリウム、ホウ酸２水素カリウム、ホウ酸２水素ニッケル、ホウ酸２水素銀、ホウ酸２水素アルミニウムを挙げることができるが、これらの化合物に限定されるものではない。
【０１７０】
Ｘ’がＢＯ３アニオン、ＨＢＯ３アニオン、Ｈ２ＢＯ３アニオンの場合、ホウ酸アンモンニム、ホウ酸一水素アンモニウム、ホウ酸二水素アンモニウム及び式（９）で表される各アゾニア化合物及びホスホニウム化合物のカチオン部分との塩を挙げることができる。
【０１７１】
Ｘ’がスルホン酸アニオン、スルフィン酸アニオン、スルフェン酸アニオンの場合、アルキルスルホン酸、アルキルスルホン酸塩、アリールスルホン酸、アリールスルホン酸塩、アルキルスルフィン酸、アルキルスルフィン酸塩、アリールスルフィン酸、アリールスルフィン酸塩、アリールスルフェン酸、アリールスルフェン酸塩等が挙げられる。当該アルキル基としては、例えば、メチル基、エチル基、プロピル基、イソプロピル基、ブチル基、ｔ−ブチル基、ペンチル基、ヘキシル基等のＣ１〜Ｃ６の直鎖又は分岐状のアルキル基が挙げられる。また、アリール基としては、フェニル基、ビフェニル基、ナフチル基、アントラニル基、カルバゾール基等が挙げられる。また、当該アルキル基やアリール基上に置換基を有していてもよく、当該有していてもよい置換基としては、例えば、メチル基、エチル基等のアルキル基、及びビニル基、プロペニル基等のアラルキル基及びメトキシ基、エトキシ基等のアルコキシ基、ニトロ基、ハロゲン基、アミノ基、アルキルアミノ基、フェニル基、フェノキシ基及びアセトキシ基、プロピオネート基等のカルボネート基等が挙げられる。置換基を有する基としては、例えば、ベンジル基、ジフェニルメチル基等が挙げられる。
【０１７２】
Ｘ’がスルホン酸アニオンの場合、式（１１）で表される化合物としては、例えば、アルキルスルホン酸、アルキルスルホン酸塩、アリールスルホン酸、アリールスルホン酸塩等が挙げられる。
【０１７３】
アルキルスルホン酸としては、例えば、メタンスルホン酸、エタンスルホン酸、プロパンスルホン酸、イソプロパンスルホン酸、ブタンスルホン酸、イソブタンスルホン酸、ｔ−ブタンスルホン酸等が挙げられる。
【０１７４】
好ましくは、メタンスルホン酸、ブタンスルホン酸を挙げることができるが、これらの化合物に限定されるものではない。
【０１７５】
アルキルスルホン酸塩としては、例えば、メタンスルホン酸リチウム、メタンスルホン酸ナトリウム、メタンスルホン酸カリウム、メタンスルホン酸マグネシウム、メタンスルホン酸鉄、メタンスルホン酸ニッケル、メタンスルホン酸銀、メタンスルホン酸亜鉛、メタンスルホン酸アルミニウム、メタンスルホン酸錫、トリフルオロメタンスルホン酸リチウム、トリフルオロメタンスルホン酸ナトリウム、トリフルオロメタンスルホン酸カリウム、トリフルオロメタンスルホン酸マグネシウム、トリフルオロメタンスルホン酸鉄、トリフルオロメタンスルホン酸ニッケル、トリフルオロメタンスルホン酸銀、トリフルオロメタンスルホン酸亜鉛、トリフルオロメタンスルホン酸アルミニウム、トリフルオロメタンスルホン酸錫、トリクロロメタンスルホン酸リチウム、トリクロロメタンスルホン酸ナトリウム、トリクロロメタンスルホン酸カリウム、トリクロロメタンスルホン酸マグネシウム、トリクロロメタンスルホン酸鉄、トリクロロメタンスルホン酸ニッケル、トリクロロメタンスルホン酸銀、トリクロロメタンスルホン酸亜鉛、トリクロロメタンスルホン酸アルミニウム、トリクロロメタンスルホン酸錫、トリブロモメタンスルホン酸リチウム、トリブロモメタンスルホン酸ナトリウム、トリブロモメタンスルホン酸カリウム、トリブロモメタンスルホン酸マグネシウム、トリブロモメタンスルホン酸鉄、トリブロモメタンスルホン酸ニッケル、トリブロモメタンスルホン酸銀、トリブロモメタンスルホン酸亜鉛、トリブロモメタンスルホン酸アルミニウム、トリブロモメタンスルホン酸錫、エタンスルホン酸リチウム、エタンスルホン酸ナトリウム、エタンスルホン酸カリウム、エタンスルホン酸マグネシウム、エタンスルホン酸カルシウム、エタンスルホン酸ニッケル、エタンスルホン酸亜鉛等が挙げられる。
【０１７６】
好ましくは、メタンスルホン酸リチウム、メタンスルホン酸ナトリウム、トリフルオロメタンスルホン酸リチウム、トリフルオロメタンスルホン酸ナトリウム、エタンスルホン酸リチウム、エタンスルホン酸カリウム等を挙げることができるが、これらに限定されるものではない。
【０１７７】
アリールスルホン酸としては、例えば、ベンゼンスルホン酸、ｐ−トルエンスルホン酸、キシレンスルホン酸、ｐ−ニトロベンゼンスルホン酸、ｐ−メトキシベンゼンスルホン酸、ナフタレンスルホン酸、ビフェニルスルホン酸、キシレンスルホン酸等が挙げられる。
【０１７８】
好ましくは、ベンゼンスルホン酸、ｐ−トルエンスルホン酸、ビフェニルスルホン酸等を挙げることができるが、これらの化合物に限定されるものではない。
【０１７９】
アリールスルホン酸塩としては、例えば、ベンゼンスルホン酸リチウム、ベンゼンスルホン酸ナトリウム、ベンゼンスルホン酸カリウム、ベンゼンスルホン酸マグネシウム、ベンゼンスルホン酸カルシウム、ベンゼンスルホン酸鉄、ベンゼンスルホン酸ニッケル、ベンゼンスルホン酸銀、ベンゼンスルホン酸亜鉛、ｐ−トルエンスルホン酸リチウム、ｐ−トルエンスルホン酸ナトリウム、ｐ−トルエンスルホン酸カリウム、ｐ−トルエンスルホン酸マグネシウム、ｐ−トルエンスルホン酸カルシウム、ｐ−トルエンスルホン酸マグネシウム、ｐ−トルエンスルホン酸ニッケル、ｐ−トルエンスルホン酸銀、ｐ−トルエンスルホン酸亜鉛、ｐ−トルエンスルホン酸アルミニウム、ナフタレンスルホン酸リチウム、ナフタレンスルホン酸ナトリウム、ナフタレンスルホン酸カリウム、ナフタレンスルホン酸銀等が挙げられる。
【０１８０】
好ましくは、ベンゼンスルホン酸ナトリウム、ベンゼンスルホン酸カリウム、ｐ−トルエンスルホン酸ナトリウム、ｐ−トルエンスルホン酸カリウム、ナフタレンスルホン酸ナトリウム、ナフタレンスルホン酸カリウム等を挙げることができるが、これらの化合物に限定されるものではない。
【０１８１】
さらに、式（１１）で表されるＸ’がスルホン酸アニオンの場合、スルホン酸アンモニウム及び式（９）で表される各アゾニア化合物及びホスホニウム化合物のカチオン部分との塩も挙げることができる。
【０１８２】
Ｘ’がスルフィンアニオンの場合、式（１１）で表される化合物としては、例えば、アルキルスルフィン酸、アルキルスルフィン酸塩、アリールスルフィン酸、アリールスルフィン酸塩等が挙げられる。
【０１８３】
アルキルスルフィン酸としては、例えば、メタンスルフィン酸、エタンスルフィン酸、プロパンスルフィン酸、イソプロパンスルフィン酸、ブタンスルフィン酸等が挙げられる。
【０１８４】
アルキルスルフィン酸塩としては、例えば、メタンスルフィン酸リチウム、メタンスルフィン酸ナトリウム、メタンスルフィン酸カリウム、メタンスルフィン酸マグネシウム、メタンスルフィン酸鉄、メタンスルフィン酸ニッケル、メタンスルフィン酸銀、メタンスルフィン酸亜鉛、メタンスルフィン酸アルミニウム、メタンスルフィン酸錫、エタンスルフィン酸リチウム、エタンスルフィン酸ナトリウム、エタンスルフィン酸カリウム、エタンスルフィン酸マグネシウム、エタンスルフィン酸カルシウム、エタンスルフィン酸ニッケル、エタンスルフィン酸亜鉛等が挙げられる。
【０１８５】
アリールスルフィン酸としては、例えば、ベンゼンスルフィン酸、ｐ−トルエンスルフィン酸等が挙げられる。
【０１８６】
アリールスルフィン酸塩としては、例えば、ベンゼンスルフィン酸リチウム、ベンゼンスルフィン酸ナトリウム、ベンゼンスルフィン酸カリウム、ベンゼンスルフィン酸マグネシウム、ベンゼンスルフィン酸カルシウム、ベンゼンスルフィン酸鉄、ベンゼンスルフィン酸ニッケル、ベンゼンスルフィン酸銀、ベンゼンスルフィン酸亜鉛、ベンゼンスルフィン酸アルミニウム、ベンゼンスルフィン酸錫、ｐ−トルエンスルフィン酸リチウム、ｐ−トルエンスルフィン酸ナトリウム、ｐ−トルエンスルフィン酸カリウム、ｐ−トルエンスルフィン酸マグネシウム、ｐ−トルエンスルフィン酸カルシウム、ｐ−トルエンスルフィン酸亜鉛、ｐ−トルエンスルフィン酸アルミニウム、ｐ−トルエンスルフィン酸錫、ナフタレンスルフィン酸リチウム、ナフタレンスルフィン酸ナトリウム、ナフタレンスルフィン酸カリウム、ナフタレンスルフィン酸銀、ナフタレンスルフィン酸マグネシウム、ナフタレンスルフィン酸カルシウム、ナフタレンスルフィン酸鉄、ナフタレンスルフィン酸ニッケル、ナフタレンスルフィン酸亜鉛、ナフタレンスルフィン酸アルミニウム、ナフタレンスルフィン酸錫等が挙げられる。
【０１８７】
好ましくは、メタンスルフィン酸、ベンゼンスルフィン酸、メタンスルフィン酸ナトリウム、メタンスルフィン酸カリウム、メタンスルフィン酸リチウム、ベンゼンスルフィン酸ナトリウム、ベンゼンスルフィン酸カリウム、ベンゼンスルフィン酸銀、ベンゼンスルフィン酸亜鉛、ｐ−トルエンスルフィン酸リチウム、ｐ−トルエンスルフィン酸ナトリウム、ｐ−トルエンスルフィン酸カリウム等を挙げることができるが、これらの化合物に限定されるものではない。
【０１８８】
式（１１）で表されるＸ’がスルフィン酸アニオンの場合、スルフィン酸アンモニウム及び式（９）で表される各アゾニア化合物及びホスホニウム化合物のカチオン部分との塩も挙げることができる。
【０１８９】
Ｘ’がスルフェンアニオンの場合、式（１１）で表される化合物としては、アリールスルフェン酸、アリールスルフェン酸塩等が挙げられる。
【０１９０】
アリールスルフェン酸としては、例えば、ベンゼンスルフェン酸、ｐ−トルエンスルフェン酸等が挙げられる。
【０１９１】
アリールスルフェン酸塩としては、例えば、ベンゼンスルフェン酸リチウム、ベンゼンスルフェン酸ナトリウム、ベンゼンスルフェン酸カリウム、ベンゼンスルフェン酸マグネシウム、ベンゼンスルフェン酸カルシウム、ベンゼンスルフェン酸亜鉛、ベンゼンスルフェン酸鉄、ベンゼンスルフェン酸ニッケル、ベンゼンスルフェン酸銀、ベンゼンスルフェン酸アルミニウム、ベンゼンスルフェン錫、ｐ−トルエンスルフェン酸リチウム、ｐ−トルエンスルフェン酸ナトリウム、ｐ−トルエンスルフェン酸カリウム、ｐ−トルエンスルフェン酸マグネシウム、ｐ−トルエンスルフェン酸カルシウム、ｐ−トルエンスルフェン酸鉄、ｐ−トルエンスルフェン酸ニッケル、ｐ−トルエンスルフェン酸銀、ｐ−トルエンスルフェン酸亜鉛、ベンゼンスルフェン酸アルミニウム、ベンゼンスルフェン酸錫、ナフタレンスルフェン酸リチウム、ナフタレンスルフェン酸ナトリウム、ナフタレンスルフェン酸カリウム、ナフタレンスルフェン酸銀、ナフタレンスルフェン酸亜鉛等が挙げられる。
【０１９２】
好ましくは、ベンゼンスルフェン酸、ｐ−トルエンスルフェン酸、ベンゼンスルフェン酸リチウム、ベンゼンスルフェン酸ナトリウム、ベンゼンスルフェン酸カリウム、ｐ−トルエンスルフェン酸リチウム、ｐ−トルエンスルフェン酸ナトリウム、ｐ−トルエンスルフェン酸カリウム等を挙げることができるが、これらの化合物に限定されるものではない。
【０１９３】
式（１１）で表されるＸ’がスルフェン酸アニオンの場合、スルフェン酸アンモニウム及び式（９）で表される各アゾニア化合物及びホスホニウム化合物のカチオン部分との塩も挙げることができる。
【０１９４】
Ｘ’がホスホン酸アニオン、ホスフィン酸アニオンの場合、アルキルホスホン酸、アルキルホスホン酸塩、アリールホスホン酸、アリールホスホン酸塩、アリールホスフィン酸、アリールホスフィン酸塩等が挙げられる。当該アルキル基としては、例えば、メチル基、エチル基、プロピル基、イソプロピル基、ブチル基、ｔ−ブチル基、ペンチル基、ヘキシル基等のＣ１〜Ｃ６の直鎖又は分岐状のアルキル基が挙げられる。また、アリール基としては、フェニル基、ビフェニル基、ナフチル基、アントラニル基、カルバゾール基等が挙げられる。また、当該アルキル基やアリール基上に置換基を有していてもよく、当該有していてもよい置換基としては、例えば、メチル基、エチル基等のアルキル基、及びビニル基、プロペニル基等のアラルキル基及びメトキシ基、エトキシ基等のアルコキシ基、ニトロ基、ハロゲン基、アミノ基、アルキルアミノ基、フェニル基、フェノキシ基及びアセトキシ基、プロピオネート基等のカルボネート基等が挙げられる。置換基を有する基としては、例えば、ベンジル基、ジフェニルメチル基等が挙げられる。
【０１９５】
Ｘ’がホスホン酸アニオンの場合、式（１１）で表される化合物としては、アルキルホスホン酸、アルキルホスホン酸塩、アリールホスホン酸、アリールホスホン酸塩等が挙げられる。
【０１９６】
アルキルホスホン酸としては、例えば、メチルホスホン酸、エチルホスホン酸等が挙げられる。
【０１９７】
アルキルホスホン酸塩としては、例えば、メチルホスホン酸リチウム、メチルホスホン酸ナトリウム、メチルホスホン酸カリウム、メチルホスホン酸マグネシウム、メチルホスホン酸カルシウム、メチルホスホン酸鉄、メチルホスホン酸ニッケル、メチルホスホン酸銀、メチルホスホン酸亜鉛、エチルホスホン酸リチウム、エチルホスホン酸ナトリウム、エチルホスホン酸カリウム、エチルホスホン酸マグネシウム、エチルホスホン酸ニッケル、エチルホスホン酸銀、エチルホスホン酸亜鉛等が挙げられる。
【０１９８】
アリールホスホン酸の具体的としては、例えば、フェニルホスホン酸等が挙げられる。
【０１９９】
アリールホスホン酸塩の具体例としては、例えば、フェニルホスホン酸リチウム、フェニルホスホン酸ナトリウム、フェニルホスホン酸カリウム、フェニルホスホン酸マグネシウム、フェニルホスホン酸カルシウム、フェニルホスフィン酸鉄、フェニルホスホン酸ニッケル、フェニルホスホン酸銀、フェニルホスホン酸亜鉛等が挙げられる。
【０２００】
好ましくは、メチルホスホン酸、フェニルホスホン酸、メチルホスホン酸リチウム、メチルホスホン酸ナトリウム、メチルホスホン酸カリウム、エチルホスホン酸リチウム、エチルホスホン酸ナトリウム、エチルホスホン酸カリウム、フェニルホスホン酸リチウム、フェニルホスホン酸ナトリウム、フェニルホスホン酸カリウム等を挙げることができるが、これらの化合物に限定されるものではない。
【０２０１】
式（１１）で表されるＸ’がホスホン酸アニオンの場合、ホスホン酸アンモニウム及び式（９）で表される各アゾニア化合物及びホスホニウム化合物のカチオン部分との塩も挙げることができる。
【０２０２】
Ｘ’がホスフィンアニオンの場合、式（１１）で表される化合物としては、アリールホスフィン酸、アリールホスフィン酸塩等が挙げられる。
【０２０３】
アリールホスフィン酸としては、例えば、フェニルホスフィン酸、ジフェニルホスフィン酸等が挙げられる。
【０２０４】
アリールホスフィン酸塩としては、例えば、フェニルホスフィン酸リチウム、フェニルホスフィン酸ナトリウム、フェニルホスフィン酸カリウム、フェニルホスフィン酸マグネシウム、フェニルホスフィン酸カルシウム、フェニルホスフィン酸鉄、フェニルホスフィン酸ニッケル、フェニルホスフィン酸銀、フェニルホスフィン酸亜鉛、ジフェニルホスフィン酸リチウム、ジフェニルホスフィン酸ナトリウム、ジフェニルホスフィン酸カリウム、ジフェニルホスフィン酸マグネシウム、ジフェニルホスフィン酸カルシウム、ジフェニルホスフィン酸鉄、ジフェニルホスフィン酸ニッケル、ジフェニルホスフィン酸銀、ジフェニルホスフィン酸亜鉛等が挙げられる。
【０２０５】
好ましくは、フェニルホスフィン酸、ジフェニルホスフィン酸、フェニルホスフィン酸リチウム、フェニルホスフィン酸ナトリウム、フェニルホスフィン酸カリウム、ジフェニルホスフィン酸リチウム、ジフェニルホスフィン酸ナトリウム、ジフェニルホスフィン酸カリウム等を挙げることができるが、これらの化合物に限定されるものではない。
【０２０６】
式（１１）で表されるＸ’がホスフィン酸アニオンの場合、ホスフィン酸アンモニウム及び式（９）で表される各アゾニア化合物及びホスホニウム化合物のカチオン部分との塩も挙げることができる。
【０２０７】
Ｘ’がＯＣＯＲ５アニオンの場合、Ｒ５はＨ、直鎖又は分岐状のアルキル基、アリール基及びこれらに置換基を有する基であり、直鎖又は分岐状のアルキル基としては、Ｃ１〜Ｃ８のアルキル基、例えば、メチル基、エチル基、プロピル基、イソプロピル基、ブチル基、ｔ−ブチル基、ヘキシル基、オクチル基等が挙げられ、アリール基としては、フェニル基、ナフチル基、アントラニル基、カルバゾール基等が挙げられる。また、当該アルキル基やアリール基上に置換し得る基としては、例えば、水酸基、メトキシ基、エトキシ基等のアルコキシ基、ニトロ基、メチル基、エチル基等のアルキル基、ハロゲン基、アミノ基、フェノキシ基、フェニル基等が挙げられる。
【０２０８】
Ｘ’がＯＣＯＲ５アニオンの場合、式（１１）で表される化合物としては、ギ酸（塩）、酢酸（塩）、プロピオン酸（塩）等のモノカルボン酸（塩）等が挙げられる。
【０２０９】
ギ酸（塩）（Ｒ５がＨの場合）としては、例えば、ギ酸、ギ酸アンモニウム、ギ酸リチウム、ギ酸ナトリウム、ギ酸カリウム、ギ酸カルシム、ギ酸マグネシウム、ギ酸マンガン、ギ酸鉄、ギ酸ニッケル、ギ酸銅、ギ酸銀、ギ酸亜鉛、ギ酸アルミニウム、ギ酸錫等が挙げられる。
【０２１０】
酢酸（塩）（Ｒ５がメチル基の場合）としては、例えば、酢酸、酢酸アンモニウム、酢酸リチウム、酢酸ナトリウム、酢酸カリウム、酢酸カルシウム、酢酸マグネシウム、酢酸マンガン、酢酸ニッケル、酢酸銅、酢酸銀、酢酸亜鉛、酢酸アルミニウム、酢酸ジルコニウム、トリフルオロ酢酸、トリフルオロ酢酸アンモニウム、トリフルオロ酢酸リチウム、トリフルオロ酢酸ナトリウム、トリフルオロ酢酸カリウム、トリフルオロ酢酸カルシウム、トリフルオロ酢酸マグネシウム、トリフルオロ酢酸マンガン、トリフルオロ酢酸ニッケル、トリフルオロ酢酸銅、トリフルオロ酢酸銀、トリフルオロ酢酸亜鉛、トリフルオロ酢酸アルミニウム、トリフルオロ酢酸ジルコニウム、トリクロロ酢酸、トリクロロ酢酸アンモニウム、トリクロロ酢酸リチウム、トリクロロ酢酸ナトリウム、トリクロロ酢酸カリウム、トリクロロ酢酸カルシウム、トリクロロ酢酸マグネシウム、トリクロロ酢酸マンガン、トリクロロ酢酸ニッケル、トリクロロ酢酸銅、トリクロロ酢酸銀、トリクロロ酢酸亜鉛、トリクロロ酢酸アルミニウム、トリクロロ酢酸ジルコニウム、フェニル酢酸、フェニル酢酸アンモニウム、フェニル酢酸リチウム、フェニル酢酸ナトリウム、フェニル酢酸カリウム、フェニル酢酸カルシウム、フェニル酢酸ニッケル、フェニル酢酸銀等が挙げられる。
【０２１１】
その他のモノカルボン酸（塩）としては、例えば、プロピオン酸、プロピオン酸アンモニウム、プロピオン酸リチウム、プロピオン酸ナトリウム、プロピオン酸カリウム、プロピオン酸銅、プロピオン酸銀、プロピオン酸アルミニウム、酪酸、酪酸アンモニウム、酪酸リチウム、酪酸ナトリウム、酪酸カリウム、酪酸銅、酪酸銀、酪酸カルシウム、安息香酸、安息香酸アンモニウム、安息香酸リチウム、安息香酸ナトリウム、安息香酸カリウム、安息香酸銅、安息香酸銀、安息香酸ニッケル、サリチル酸、サリチル酸リチウム、サリチル酸ナトリウム、サリチル酸カリウム、サリチル酸銀、サリチル酸亜鉛、乳酸、乳酸アンモニウム、乳酸リチウム、乳酸ナトリウム、乳酸カリウム、乳酸カルシウム、乳酸マグネシウム、乳酸アルミニウム、乳酸銅、乳酸銀、乳酸ニッケル、乳酸チタン、グリシン、グリシンリチウム、グリシンナトリウム、グリシンカリウム、グリシン銅、グリシン銀、アラニン、アラニンリチウム、アラニンナトリウム、アラニンカリウム、アラニン亜鉛、アラニン銀、ナフタレンカルボン酸、ナフタレンカルボン酸リチウム、ナフタレンカルボン酸ナトリウム、ナフタレンカルボン酸カリウム、ナフトエ酸、ナフトエ酸リチウム、ナフトエ酸ナトリウム、ナフトエ酸カリウム、アントラセンカルボン酸、アントラセンカルボン酸リチウム、アントラセンカルボン酸ナトリウム、アントラセンカルボン酸カリウム、フェニル酢酸、フェニル酢酸リチウム、フェニル酢酸ナトリウム、フェニル酢酸カリウム、フェニル酢酸銀、フェニルプロピオン酸、フェニルプロピオン酸リチウム、フェニルプロピオン酸ナトリウム、フェニルプロピオン酸カリウム、グリコール酸、グリコール酸リチウム、グリコール酸ナトリウム、グリコール酸カリウム、グルコール酸マグネシウム、グリコール酸カルシウム、グリコール酸鉄、グリコール酸ニッケル、グリコール酸銀、グリコール酸銅、グリコール酸亜鉛、グリコール酸アルミニウム等が挙げられる。
【０２１２】
好ましくは、ギ酸、ギ酸アンモニウム、ギ酸リチウム、ギ酸ナトリウム、ギ酸カリウム、ギ酸銀、ギ酸マグネシウム、酢酸、酢酸アンモニウム、酢酸リチウム、酢酸ナトリウム、酢酸カリウム、酢酸銅、酢酸銀、プロピオン酸、プロピオン酸アンモニウム、プロピオン酸リチウム、プロピオン酸ナトリウム、プロピオン酸カリウム、フェニル酢酸アンモニウム、フェニル酢酸リチウム、フェニル酢酸ナトリウム、フェニル酢酸カリウム、フェニル酢酸銀、サリチル酸、サリチル酸アンモニウム、サリチル酸リチウム、サリチル酸ナトリウム、サリチル酸カリウム、乳酸、乳酸アンモニウム、乳酸リチウム、乳酸ナトリウム、乳酸カリウム、乳酸チタン、乳酸カルシウム、グリシン、グリシンアンモニウム、グリシンリチウム、グリシンナトリウム、グリシンカリウム、ナフタレンカルボン酸、グリコール酸リチウム、グリコール酸ナトリウム、グリコール酸カリウム、グリコール酸カルシウム、グリコール酸銀等が挙げられるが、これらに限定されるものではない。
【０２１３】
式（１１）で表されるＸ’がＯＣＯＲ５アニオン（Ｒ５がアルキル基及びアリール基の場合）の場合、ＯＣＯＲ５アニオンで表される有機カルボン酸アンモニウム及び式（９）で表される各アゾニア化合物及びホスホニウム化合物のカチオン部分との塩も挙げることができる。
【０２１４】
Ｘ’がＯＣＯＲ６ＣＸ’’３アニオンの場合、Ｒ６はアルキレン基、アリーレン基、アルキレンアリーレン基及びこれらに置換基を有する基であり、アルキレン基としては、Ｃ１〜Ｃ６のアルキレン基、例えば、メチレン基、エチレン基、プロピレン基、ブチレン基等が挙げられ、アリーレン基としては、フェニレン基、ナフチレン基等が挙げられる。また、Ｘ’’のハロゲンとしては、フッ素、塩素、臭素、ヨウ素が挙げられる。
【０２１５】
Ｘ’がＯＣＯＲ６ＣＸ’’３アニオンの場合、式（１１）で表される化合物としては、例えば、２，２，２−トリフルオロプロピオン酸塩、２，２，２−トリクロロプロピオン酸塩、２，２，２−トリブロモプロピオン酸塩、ｐ−トリフルオロメチル安息香酸塩、ｐ−トリクロロメチル安息香酸塩、ｐ−トリブロモメチル安息香酸塩等を挙げることができる。
【０２１６】
２，２，２−トリフルオロプロピオン酸塩としては、例えば、２，２，２−トリフルオロプロピオン酸リチウム、２，２，２−トリフルオロプロピオン酸ナトリウム、２，２，２−トリフルオロプロピオン酸カリウム、２，２，２−トリフルオロプロピオン酸ニッケル、２，２，２−トリフルオロプロピオン酸亜鉛、２，２，２−トリフルオロプロピオン酸銀等が挙げられる。
【０２１７】
２，２，２−トリクロロプロピオン酸塩としては、例えば、２，２，２−トリクロロプロピオン酸リチウム、２，２，２−トリクロロプロピオン酸ナトリウム、２，２，２−トリクロロプロピオン酸カリウム、２，２，２−トリクロロプロピオン酸マグネシウム、２，２，２−トリクロロプロピオン酸ニッケル、２，２，２−トリクロロプロピオン酸銀、２，２，２−トリクロロプロピオン酸アルミニウム等が挙げられる。
【０２１８】
ｐ−トリフルオロメチル安息香酸塩としては、ｐ−トリフルオロメチル安息香酸リチウム、ｐ−トリフルオロメチル安息香酸ナトリウム、ｐ−トリフルオロメチル安息香酸カリウム、ｐ−トリフルオロメチル安息香酸マグネシウム、ｐ−トリフルオロメチル安息香酸アルミニウム、ｐ−トリフルオロメチル安息香酸銅、ｐ−トリフルオロメチル安息香酸銀等を挙げることができる。
【０２１９】
式（１１）で表されるＸ’がＯＣＯＲ６ＣＸ’’３アニオンの場合、ＯＣＯＲ６ＣＸ’’３アニオンで表される有機カルボン酸アンモニウム及び式（９）で表される各アゾニア化合物及びホスホニウム化合物のカチオン部分との塩も挙げることができる。
【０２２０】
Ｘ’がビストリフルオロメタンスルホニルイミドアニオンの場合、式（１１）で表される化合物としては、例えば、ビストリフルオロメタンスルホニルイミド、ビストリフルオロメタンスルホニルイミドアンモニウム、ビストリフルオロメタンスルホニルイミドリチウム、ビストリフルオロメタンスルホニルイミドナトリウム、ビストリフルオロメタンスルホニルイミドカリウム、ビストリフルオロメタンスルホニルイミドマグネシウム、ビストリフルオロメタンスルホニルイミドカルシウム、ビストリフルオロメタンスルホニルイミドチタン、ビストリフルオロメタンスルホニルイミドジルコニウム、ビストリフルオロメタンスルホニルイミドマンガン、ビストリフルオロメタンスルホニルイミド鉄、ビストリフルオロメタンスルホニルイミド鉄、ビストリフルオロメタンスルホニルイミドニッケル、ビストリフルオロメタンスルホニルイミド銅、ビストリフルオロメタンスルホニルイミド銀、ビストリフルオロメタンスルホニルイミド亜鉛、ビストリフルオロメタンスルホニルイミドアルミニウム、ビストリフルオロメタンスルホニルイミドシリコン、ビストリフルオロメタンスルホニルイミド錫等を挙げることができる。
【０２２１】
式（１１）において、Ｘ’がビストリフルオロメタンスルホニルイミドアニオンの場合、ビストリフルオロメタンスルホニルイミドアンモニウム及び式（９）で表される各アゾニア化合物及びホスホニウム化合物のカチオン部分との塩も挙げることができる。
【０２２２】
Ｘ’がシュウ酸アニオンの場合、式（１１）で表される化合物としては、例えば、シュウ酸、シュウ酸リチウム、シュウ酸モノリチウム、シュウ酸ナトリウム、シュウ酸カリウム、シュウ酸モノカリウム、シュウ酸カルシウム、シュウ酸マグネシウム、シュウ酸モノナトリウム、シュウ酸鉄、シュウ酸１鉄、シュウ酸ニッケル、シュウ酸モノニッケル、シュウ酸銅、シュウ酸１銅、シュウ酸銀、シュウ酸1銀、シュウ酸亜鉛、シュウ酸1亜鉛、シュウ酸アルミニウム、シュウ酸１アルミニウム等が挙げられる。
【０２２３】
好ましくは、シュウ酸、シュウ酸リチウム、シュウ酸ナトリム、シュウ酸カリウム、シュウ酸カルシウム、シュウ酸マグネシウム、シュウ酸亜鉛、シュウ酸ニッケル、シュウ酸銀等が挙げられる。
【０２２４】
式（１１）において、Ｘ’がシュウ酸アニオンの場合、シュウ酸モノアンモニウム、シュウ酸アンモニウム及び式（９）で表される各アゾニア化合物及びホスホニウム化合物のカチオン部分との塩も挙げることができる。
【０２２５】
Ｘ’がマレイン酸アニオンの場合、式（１１）で表される化合物としては、例えば、マレイン酸モノリチウム、マレイン酸ジナトリウム、マレイン酸モノナトリウム、マレイン酸ジナトリウム、マレイン酸モノカリウム、マレイン酸ジカリウム、マレイン酸一銅、マレイン酸二銅、マレイン酸一銀、マレイン酸二銀等が挙げられる。
【０２２６】
好ましくは、マレイン酸モノリチウム、マレイン酸ジリチウム、マレイン酸モノナトリウム、マレイン酸ジナトリウム、マレイン酸モノカリウム、マレイン酸ジカリウム、マレイン酸一銅、マレイン酸二銅、マレイン酸一銀、マレイン酸二銀等を挙げることができるが、これらの化合物に限定されるものではない。
【０２２７】
式（１１）において、Ｘ’がマレイン酸アニオンの場合、マレイン酸モノアンモニウム、マレイン酸アンモニウム及び式（９）で表される各アゾニア化合物及びホスホニウム化合物のカチオン部分との塩も挙げることができる。
【０２２８】
Ｘ’がクエン酸アニオンの場合、式（１１）で表される化合物としては、例えば、クエン酸、クエン酸第一リチウム、クエン酸二リチウム、クエン酸三リチウム、クエン酸三ナトリウム、クエン酸三カリウム、クエン酸一カルシウム、クエン酸二カルシウム、クエン酸三カルシウム、クエン酸一亜鉛、クエン酸二亜鉛、クエン酸三亜鉛、クエン酸三銅等が挙げられる。
【０２２９】
好ましくは、クエン酸、クエン酸リチウム、クエン酸ナトリウム、クエン酸カリウム、クエン酸銀、クエン酸一リチウム、クエン酸二リチウム、クエン酸一ナトリウム、クエン酸二ナトリウム、クエン酸一カリウム、クエン酸二カリウム、クエン酸一銀、クエン酸二銀等を挙げることができるが、これらの化合物に限定されるものではない。
【０２３０】
式（１１）において、Ｘ’がクエン酸アニオンの場合、クエン酸モノアンモニウム、クエン酸ジアンモニウム、クエン酸アンモニウム及び式（９）で表される各アゾニア化合物及びホスホニウム化合物のカチオン部分との塩も挙げることができる。
【０２３１】
Ｘ’が乳酸アニオンの場合、式（１１）で表される化合物としては、例えば、乳酸、乳酸アンモニウム、乳酸リチウム、乳酸ナトリウム、乳酸カリウム、乳酸カルシウム、乳酸マグネシウム、乳酸アルミニウム、乳酸銅、乳酸銀、乳酸ニッケル、乳酸チタン等が挙げられる。
【０２３２】
好ましくは、乳酸、乳酸アンモニウム、乳酸リチウム、乳酸ナトリウム、乳酸カリウム、乳酸チタン、乳酸カルシウム等を挙げることができるが、これらの化合物に限定されるものではない。
【０２３３】
式（１１）において、Ｘ’が乳酸アニオンの場合、乳酸アンモニウム及び式（９）で表される各アゾニア化合物及びホスホニウム化合物のカチオン部分との塩も挙げることができる。
【０２３４】
Ｘ’がグリコール酸アニオンの場合、式（１１）で表される化合物としては、例えば、グリコール酸、グリコール酸リチウム、グリコール酸ナトリウム、グリコール酸カリウム、グルコール酸マグネシウム、グリコール酸カルシウム、グリコール酸鉄、グリコール酸ニッケル、グリコール酸銀、グリコール酸銅、グリコール酸亜鉛、グリコール酸アルミニウム等が挙げられる。
【０２３５】
好ましくは、グリコール酸リチウム、グリコール酸ナトリウム、グリコール酸カリウム、グリコール酸カルシウム、グリコール酸銀等を挙げることができるが、これらの化合物に限定されるものではない。
【０２３６】
式（１１）において、Ｘ’がグリコール酸アニオンの場合、グリコール酸アンモニウム及び式（９）で表される各アゾニア化合物及びホスホニウム化合物のカチオン部分との塩も挙げることができる。
【０２３７】
Ｘ’がリンゴ酸アニオンの場合、式（１１）で表される化合物としては、例えば、リンゴ酸、リンゴ酸リチウム、リンゴ酸二リチウム、リンゴ酸一ナトリウム、リンゴ酸二ナトリウム、リンゴ酸一カリウム、リンゴ酸二カリウム、リンゴ酸一カルシウム、リンゴ酸二カルシウム、リンゴ酸一銅、リンゴ酸二銅、リンゴ酸一鉄、リンゴ酸二鉄、リンゴ酸一ニッケル、リンゴ酸二ニッケル、リンゴ酸一銀、リンゴ酸二銀等が挙げられる。
【０２３８】
好ましくは、リンゴ酸一リチウム、リンゴ酸二リチウム、リンゴ酸一ナトリウム、リンゴ酸二ナトリウム、リンゴ酸一カリウム、リンゴ酸二カリウム等を挙げることができるが、これらの化合物に限定されるものではない。
【０２３９】
式（１１）において、Ｘ’がリンゴ酸アニオンの場合、リンゴ酸モノアンモニウム、リンゴ酸アンモニウム及び式（９）で表される各アゾニア化合物及びホスホニウム化合物のカチオン部分との塩も挙げることができる。
【０２４０】
Ｘ’がアジピン酸アニオンの場合、式（１１）で表される化合物としては、例えば、アジピン酸、アジピン酸リチウム、アジピン酸ナトリウム、アジピン酸カリウム等が挙げられる。
【０２４１】
式（１１）において、Ｘ’がアジピン酸アニオンの場合、アジピン酸モノアンモニウム、アジピン酸アンモニウム及び式（９）で表される各アゾニア化合物及びホスホニウム化合物のカチオン部分との塩も挙げることができる。
【０２４２】
Ｘ’が安息香酸アニオンの場合、式（１１）で表される化合物としては、例えば、安息香酸、安息香酸リチウム、安息香酸ナトリウム、安息香酸カリウム、安息香酸マグネシウム、安息香酸カルシウム、安息香酸鉄、安息香酸ニッケル、安息香酸銅、安息香酸銀が挙げられる。
【０２４３】
式（１１）において、Ｘ’が安息香酸アニオンの場合、安息香酸アンモニウム及び式（９）で表される各アゾニア化合物及びホスホニウム化合物のカチオン部分との塩も挙げることができる。
【０２４４】
好ましくは、安息香酸、安息香酸アンモニウム、安息香酸リチウム、安息香酸ナトリウム、安息香酸カリウム、安息香酸アゾニア塩、安息香酸ホスホニウム塩等を挙げることができるが、これらの化合物に限定されるものではない。
【０２４５】
Ｘ’がテレフタル酸アニオンの場合、式（１１）で表される化合物としては、例えば、テレフタル酸、テレフタル酸モノリチウム、テレフタル酸リチウム、テレフタル酸モノナトリウム、テレフタル酸ナトリウム、テレフタル酸モノカリウム、テレフタル酸カリウム等が挙げられる。
【０２４６】
式（１１）において、Ｘ’がテレフタル酸アニオンの場合、テレフタル酸モノアンモニウム、テレフタル酸アンモニウム及び式（９）で表される各アゾニア化合物及びホスホニウム化合物のカチオン部分との塩も挙げることができる。
【０２４７】
Ｘ’がアルミン酸アニオン、ケイ酸アニオン、チタン酸アニオンの場合、式（１１）で表される化合物としては、例えば、アルミン酸、アルミン酸ナトリウム、アルミン酸カリウム、アルミン酸マグネシウム、アルミン酸カルシウム、アルミン酸銅、アルミン酸銀、アルミン酸亜鉛、アルミン酸アンモニウム、チタン酸、チタン酸リチウム、チタン酸ナトリウム、チタン酸カリウム、チタン酸アンモニウム、ケイ酸、ケイ酸アルミニウム、ケイ酸アンモニウム、ケイ酸ナトリウム、ケイ酸カリウム等が挙げられる。
【０２４８】
式（１１）において、Ｘ’がアルミン酸アニオン、ケイ酸アニオン、チタン酸アニオンの場合、アルミン酸アンモニウム、ケイ酸アンモニウム、チタン酸アンモニウム、及び式（９）で表される各アゾニア化合物及びホスホニウム化合物のカチオン部分との塩も挙げることができる。
【０２４９】
式（１１）で表される化合物は、尿素に対して０．０１〜５０モル当量用いることが好ましい。更に好ましくは、０．０５〜４０モル等量の範囲である。
【０２５０】
式（１１）で表される化合物からなる群より選ばれる少なくとも１種で、且つ式（８）〜（１０）で表される化合物、ハロゲン化水素及びハロゲンからなる群より選ばれる化合物とは異なる化合物を併用することにより、得られるアゾジカルボンアミドの収率、選択率あるいは電流効率を向上させることができる。
【０２５１】
式（８）〜（１０）で表される化合物および、ハロゲン化水素及びハロゲンからなる群（第一の化合物群）より選択される少なくとも１種の化合物と、式（１１）で表される化合物及びハロゲンからなる群（第二の化合物群）より選択される少なくとも１種の化合物の組み合わせとしては、異なる金属イオン種又はカチオン種又は異なるアニオン種及び異なるハロゲン種の化合物の組み合わせが効果的である。
【０２５２】
本発明の電解酸化反応は、水又は有機溶媒と水との均一系又は不均一な混合系で行われる。水と混合し得る有機溶媒としては、例えば、テトラヒドロフラン、１，２−ジメトキシエタン、ジオキサン、メチル−ｔ−ブチルエーテルなどのエーテル類、アセトニトリル、プロピオニトリルなどのニトリル類、アセトン、メチルエチルケトン、シクロヘキサノンなどのケトン類、メチルアルコール、エチルアルコール、イソプロピルアルコールなどのアルコール類、イオン液体から選ばれる一種もしくは二種以上が挙げられる。
【０２５３】
水と有機溶媒との均一混合液の場合、第一の化合物群及び第二の化合物群から選択される化合物が上記の濃度の範囲で溶解していることが必要であり、また同時に原料の尿素が溶解することが必要であり、有機溶媒中の好ましい水の混合比率は、１０％以上で任意の割合で水を溶解する比率である。
【０２５４】
水又は有機溶媒と水との均一系又は不均一な混合系中に、原料である尿素を０．１〜５０ ｍｏｌ／Ｌの濃度で含むことが好ましい。好ましくは、０．３〜３０ｍol／Ｌの濃度である。
【０２５５】
また、上記溶媒および尿素を含む電解液は、均一相であっても不均一相（液相分離状況）であってもよい。水と有機溶媒との混合溶媒を使用する場合、不均一系の場合は、原料および各種試薬は、主に水層に溶解しており、均一系の場合は、有機溶剤に含まれる水に原料及び各種試薬が主に溶解している。
【０２５６】
本電解反応においては、添加した原料の尿素を、電極間を通過する間に全て反応させる必要はなく、反応で直接生成するアゾジカルボンアミドの固体を連続的に分離し、尿素、支持電解質、反応促進剤（第一の化合物群から選択される化合物と第二の化合物群から選択される化合物の組み合わせによって一方が支持電解質の作用を示した場合、他方は反応促進剤の作用を示す。又は第一の化合物群と第二の化合物群のどちらか又は両方が、支持電解質の機能と反応促進剤の機能を同時に示す場合もある）を含有する溶液をリサイクルし、必要に応じて、尿素、支持電解質、反応促進剤を添加して液組成を調整しながら循環させる製造方法とすることもできる。
【０２５７】
すなわち、ろ液として回収される未反応の尿素および式（８）〜（１０）で表される化合物、ハロゲン化水素及びハロゲンからなる群より選択される化合物と、場合によっては、式（１１）で表される化合物及びハロゲンからなる群より選択される化合物とを含む溶液に、消費した尿素及び前記化合物を適宜追加して濃度を調整した水又は有機溶媒と水との均一系又は不均一な混合系を、再び電解溶液として用いることができる。これらの処理により、最も高い尿素の反応転換率を達成できる、尿素の濃度、反応混合液の電解槽での流速、印可電圧、電流密度、反応温度、支持電解質濃度、反応促進剤濃度等の条件で、反応系をリサイクルすることが可能である。
【０２５８】
本電解反応は、定電圧電解でも定電流電解でもよい。また、電解方法として、無隔膜、隔膜、イオン交換膜の何れの方法も可能である。さらに、これら電解装置の陰極にガス拡散電極を設置することも可能である。
【０２５９】
本発明の電解における陽極としては、金属系電極、炭素系電極およびこれらの複合化電極を用いることができる。
【０２６０】
陽極材料としては、金、銀、白金、ルテニウム等の貴金属及びチタン、クロム、ニッケル、マンガン等のマイナーメタル、及びチタン、ステンレス、鉄、ハステロイ等の貴金属以外の金属基材に貴金属で被覆した電極及びオレフィン樹脂、エンジニアリング樹脂、炭素系基材等の金属以外の基材に貴金属被覆した電極、酸化イリジウムや酸化ルテニウムなどの金属酸化物と白金との複合被覆電極、マイナーメタルによる上記と同様の被覆電極等が挙げられる。
【０２６１】
また、炭素系電極としては、例えば、カーボン、グラッシーカーボン、グラファイト、グラフェン、カーボンシート、炭素繊維シート、炭素繊維布、ダイアモンドライク被覆電極等の炭素系電極及びこれ等の複合化電極が挙げられる。
【０２６２】
陽極として好ましいのは、白金、チタン、及びチタン、ステンレス、鉄、ハステロイ等の貴金属以外の金属基材に白金を被覆した電極及びオレフィン樹脂、エンジニアリング樹脂、炭素系基材等の金属以外の基材に白金を被覆した電極、及び酸化イリジウムや酸化ルテニウムなどの金属酸化物と白金との複合被覆電極及びカーボン、グラッシーカーボン、グラファイト、グラフェン、カーボンシート、炭素繊維シート、炭素繊維布、ダイアモンドライク被覆電極等の炭素系電極、及びこれらの複合化電極等であるが、特にこれらに限定されるものではない。
【０２６３】
陰極としては、特に制限されず、陽極電極として例示した材料および鉄、銅、アルミニウム等の汎用金属、及びステンレス、ハステロイ、各種合金及びこれ等の複合化電極が全て使用可能である。
【０２６４】
陰極として好ましいのは、白金、ステンレス、チタン、ステンレス、ハステロイ、鉄、及びチタン、ステンレス、鉄、ハステロイ等の貴金属以外の金属基材に白金を被覆した電極及びオレフィン樹脂、エンジニアリング樹脂、炭素系基材等の金属以外の基材に白金を被覆した電極、及び酸化イリジウムや酸化ルテニウムなどの金属酸化物と白金との複合被覆電極及びカーボン、グラッシーカーボン、グラファイト、カーボンシート、炭素繊維シート、炭素繊維布等の炭素系電極、及びこれらの複合化電極等であるが、特にこれらに限定されるものではない。
【０２６５】
電極の形状としては、板状、布状、すだれ状、パイプ状、不織布状、紙漉き方法で得られる形状物、フェルト状等の形状が使用でき、更にこれら材料を網状、パンチング状、メッシュ状に加工された物が使用できる。好ましくは、陽極は、隙間の無い状態の形状で陰極は穴や隙間がある形状物であるが、ガス拡散電極を使用する場合陰極での水素発生がないため、陰極の形状は限定されない。特にこれらに限定されるものではない。
【０２６６】
本発明の電気分解は、電流密度を１〜２０，０００ｍＡ/ｃｍ２、好ましくは、１０〜５０００ｍＡ/ｃｍ２で一定に保持した状態で行う。あるいは、電極電位を０．５〜１００Ｖ  ｖｓ．Ａｇ／ＡｇＣｌ、好ましくは、１〜７０Ｖ  ｖｓ．Ａｇ／ＡｇＣｌで一定に保持し、電解することができるが、特にこれらに限定されるものではない。
【０２６７】
また、反応温度は−７０〜１００℃であるとよい。好ましくは、−３０〜８０℃であるが、特にこれに限定されるものではない。
【実施例】
【０２６８】
以下、実施例を用いて本発明をより詳細に説明するが、本発明はこれら実施例に限定されるものではない。【０２６９】
以下の各実施例で得られたアゾジカルボンアミドは、赤外吸収スペクトル（ＩＲ）及びプロトン核磁気共鳴スペクトル（１Ｈ−ＮＭＲ）により同定した。  
ＩＲ（ＫＢｒ）：３３３７、３１８７ｃｍ−１（N-H伸縮）、１７４３，１７３１ｃｍ−１(Ｃ=Ｏ伸縮)、１６３７ｃｍ−１（Ｎ−Ｈ変角）、１３６９，１３３１ｃｍ−１（Ｃ−Ｎ伸縮）．
１Ｈ−ＮＭＲ（Ｄ６−ＤＭＳＯ）：δ８．０２（ｓ，２Ｈ，ＮＨ），７．９７（ｓ，２Ｈ，ＮＨ）．【０２７０】
以下の各実施例での未反応の尿素の定量は、高速液体クロマトグラフィーにより行った。
高速液体クロマトグラフィーによる分析条件は、以下のとおりである。
カラム：ＯＤＳ−３  （４．６ｍｍφ  ｘ２５０ｍｍ）
移動相：１０ｍＭ 酢酸水溶液
流速：１  ｍＬ／ｍｉｎ
検出波長：２０５ｎｍ【０２７１】
下記実施例における変換率とは、消費尿素量を示し、下記の式によって算出したものである。
変換率（％） =［（原料尿素の量−回収尿素の量）／（原料尿素の量）］Ｘ１００【０２７２】
また、収率は、下記の式によって算出した。
収率（％）=［（得られたアゾジカルボンアミドのモル数×２）／（原料尿素のモル数−回収尿素のモル数）］Ｘ１００【０２７３】
実施例１
２枚の白金板電極（１．５Ｘ１．０ｃｍ２）を取り付けたビーカー型電解セルに、尿素（１．２ｇ、２０ｍｍｏｌ）、臭化ナトリウム（４１ｍｇ、０．４ｍｍｏｌ）、水（２．０ｇ）を秤りとり、かき混ぜて均一溶液とした。電解セルを氷水浴に浸して冷却しつつ、電流密度を６６．７ｍＡ／ｃｍ２に一定に保ちながら５．４時間電解を行い、１Ｆ／ｍｏｌの電気量を通電した。反応終了後、生成する沈殿物をろ過により分取し、水洗、乾燥後、目的のアゾジカルボンアミド（０．３２ｇ、変換率３７％、収率７４％) が、淡橙色の結晶として得られた。高速液体クロマトグラフィーにより、ろ液の分析を行ったところ、ろ液中に未反応の尿素（０．７４６ｇ）が確認された。【０２７４】
実施例２〜２０
臭化ナトリウムに替えて、表１に示す化合物を用いた以外は、実施例１に記載した方法と同様に電解を行った。【０２７５】
【表１】
2012147953.tif 000014
【０２７６】
実施例２１
２枚の白金板電極（１．５Ｘ１．０ｃｍ２）を取り付けたビーカー型電解セルに、尿素 （０．３ｇ、５ｍｍｏｌ）、臭化ナトリウム（４１ｍｇ、０．４ｍｍｏｌ）、水（２．０ｇ）を秤りとり、かき混ぜて均一溶液とした。電解セルを氷水浴に浸して冷却しつつ、電流密度を６６．７ｍＡ／ｃｍ２に一定に保ちながら２．７時間電解を行い、２Ｆ／ｍｏｌの電気量を通電した。反応終了後、生成する沈殿物をろ過により分取し、水洗、乾燥後、目的のアゾジカルボンアミド（０．０３２ｇ、変換率１１％、収率９９．９％ が、淡橙色の結晶として得られた。ろ液を減圧下濃縮、乾燥して得られた残渣をＩＰＡで洗浄し、洗液を濃縮することで、未反応の尿素（０．２６１ｇ）を回収した。【０２７７】
実施例２２〜２４
尿素の仕込み量を表２に示す量に変えた以外は、実施例２１に記載した方法と同様に電解を行った。【０２７８】
【表２】
2012147953.tif 000015
【０２７９】
実施例２５
２枚の白金板電極（１．５Ｘ１．０ｃｍ２）を取り付けたビーカー型電解セルに、尿素 （６．０ｇ、１００ｍｍｏｌ）、臭化アンモニウム（０．３９ｇ、４ｍｍｏｌ）、塩化ナトリウム（５．０ｇ）、水（１６．０ｇ）を秤りとり、かき混ぜて均一溶液とした。電解セルを氷水浴に浸して冷却しつつ、電位 ２．００Ｖ ｖｓ  Ａｇ/ＡｇＣlに一定に保ちながら６．６時間電解を行い、０．５Ｆ／ｍｏｌの電気量を通電した。反応終了後、生成する沈殿物をろ過により分取し、水洗、乾燥後、目的のアゾジカルボンアミド（１．１０７ｇ、変換率２３％、収率８３％) が、淡橙色の結晶として得られた。高速液体クロマトグラフィーにより、ろ液分析を行ったところ、ろ液中に未反応の尿素（４．５４ｇ）が確認された。【０２８０】
実施例２６〜３０
電位を表３に示す電位に変えた以外は、実施例２５に記載した方法と同様に電解を行った。【０２８１】
【表３】
2012147953.tif 000016
【０２８２】
実施例３１
２枚の白金電極（１．５ｘ１ｃｍ２）を取り付けたビーカー型電解セルに、尿素（６．０ｇ、０．１ｍｏｌ）、臭化アンモニウム(０．３９ｇ、０．００４ｍｏｌ)、塩化ナトリウム（５ｇ、０．０８５ ｍｏｌ）、水（１８ ｍＬ）を秤取り、かき混ぜて均一溶液とした。０℃に設定した低温恒温水槽に電解セルを浸して冷却しつつ、電流密度を１３３ｍＡ／ｃｍ２に一定に保ちながら、６．７時間電解を行い、０．５ Ｆ／ｍｏｌの電気量を通電した。反応終了後、生成した沈殿をろ過により分取し、水洗、乾燥後、目的のアゾジカルボンアミド(０．７９ｇ、変換率１８％、収率７６％)が、淡橙色の結晶として得られた。高速液体クロマトグラフィーにより、ろ液の分析を行い、ろ液中に未反応の尿素 (４．８３g）が確認された。【０２８３】
実施例３２〜３６
臭化アンモニウムの尿素に対するモル当量を、表４に示す値に変えた以外は、実施例３１の方法と同様に電解を行った。【０２８４】
【表４】
2012147953.tif 000017
【０２８５】
実施例３７〜４２
塩化ナトリウムの尿素に対するモル当量を、表５に示す値に変更した以外は、実施例３１に示す方法と同様に電解を行った。【０２８６】
【表５】
2012147953.tif 000018
【０２８７】
実施例４３〜９６
塩化ナトリウムを表６に示す塩に替えて、それぞれ同表に示す濃度（尿素に対するモル当量）に調製した以外は、実施例３１に示す方法と同様に電解を行った。【０２８８】
【表６−１】
2012147953.tif 000019
【０２８９】
【表６−２】
2012147953.tif 000020
【０２９０】
【表６−３】
2012147953.tif 000021
【０２９１】
実施例９７〜１０３
表７に示す電気量（Ｆ／ｍｏｌ）を通電した以外は、実施例３１に示す方法と同様に電解を行った。【０２９２】
【表７】
2012147953.tif 000022
【０２９３】
実施例１０４〜１１０
臭化アンモニウムを臭化ナトリウム(０．４１ｇ、０．００４ｍｏｌ)に替え、表８に示す電気量（Ｆ／ｍｏｌ）を通電した以外は、実施例３１に示す方法と同様に電解を行った。【０２９４】
【表８】
2012147953.tif 000023
【０２９５】
実施例１１１〜１１７
臭化アンモニウムを臭化水素 (０．６９ｇ、０．００４ｍｏｌ)に替え、表９に示す電気量（Ｆ／ｍｏｌ）の電気を通じた以外は、実施例３１に示す方法と同様に電解を行った。【０２９６】
【表９】
2012147953.tif 000024
【０２９７】
実施例１１８〜１２４
臭化アンモニウムを臭素(０．３２ｇ、０．００２ｍｏｌ)に替え、表１０に示す電気量（Ｆ／ｍｏｌ）の電気を通じた以外は、実施例３１に示す方法と同様に電解を行った。【０２９８】
【表１０】
2012147953.tif 000025
【０２９９】
実施例１２５
２枚の白金電極（１．５Ｘ１．０ｃｍ２）を取り付けたビーカー型電解セルに、尿素 （１．２ｇ、２０ｍｍｏｌ）、臭素 （２０μＬ、０．４ｍｍｏｌ）、２５ｗｔ％塩化ナトリウム水溶液（２ｍＬ）を秤りとり、かき混ぜて均一溶液とした。電解セルを氷水浴に浸して冷却しつつ、電流密度１３３ｍＡ／ｃｍ２に一定に保ちながら５．４時間電解を行い、２Ｆ／ｍｏｌの電気量を通電した。反応終了後、生成した沈殿物をろ過により分取し、水洗、乾燥後、目的のアゾジカルボンアミド７（０．４２３ｇ、変換率 ４５％、収率 ８１％）が、淡橙色の結晶として得られた。高速液体クロマトグラフィーにより、ろ液の分析を行ったところ、ろ液中に未反応の尿素 （０．６４ｇ）が確認された。【０３００】
実施例１２６〜１２９
反応に供した臭素の量を、表１１に示す量に変更した以外は、実施例１２５に示す方法と同様に電解を行った。【０３０１】
【表１１】
2012147953.tif 000026
【０３０２】
実施例１３０〜１３１
２５ｗｔ％塩化ナトリウム水溶液を１Ｍ塩酸に替え、通電量を表１２に記載の条件に変更した以外は、実施例１２５に示す方法と同様に電解を行った。【０３０３】
【表１２】
2012147953.tif 000027
【０３０４】
実施例１３２
２枚の白金電極（１５ｍｍ×１０ｍｍ）を取り付けたビーカー型電解セルに、尿素（６．０ｇ、０．１ｍｏｌ）と、２５ｗｔ％の塩化ナトリウムを含む０．０５Ｍ  臭化水素（２０ｍＬ、ＨＢｒ：０．００１ｍｏｌ）を秤取り、かき混ぜて均一溶液とした。電解セルを氷水浴にて浸して冷しつつ、電流密度１３３ｍＡ／ｃｍ２に一定に保ちながら、６．７時間電解を行い、０．５Ｆ／ｍｏｌの電気量を通電した。反応終了後、生成した沈殿物をろ過により分取し、水洗、乾燥後、目的のアゾジカルボンアミド（０．８４６ｇ、変換率２０％、収率７３％）が、淡橙色の結晶として得られた。高速液体クロマトグラフィーにより、ろ液の分析を行ったところ、ろ液中に未反応の尿素（４．７４ｇ）が確認された。【０３０５】
実施例１３３〜１３８
溶媒の臭化水素酸の濃度を、表１３に示す濃度（尿素に対するモル当量数）に変更した以外は、実施例１３２に示す方法と同様に行った。【０３０６】
【表１３】
2012147953.tif 000028
【０３０７】
実施例１３９
２枚の白金電極（１５ｍｍ×１０ｍｍ）を取り付けたビーカー型電解セルに、尿素（６．０ｇ、０．１ｍｏｌ）、臭化ナトリウム（０．４１ｇ、０．００４ｍｏｌ）と、０．１Ｍの塩酸（２０ｍＬ、ＨＣｌ：０．００２ｍｏｌ）を秤取り、かき混ぜて均一溶液とした。電解セルを氷水浴にて浸して冷しつつ、電流密度１３３ｍＡ／ｃｍ２に一定に保ちながら６．７時間電解を行い、０．５Ｆ／ｍｏｌの電気量を通電した。反応終了後、生成した沈殿物をろ過により分取し、水洗、乾燥後、目的のアゾジカルボンアミド（０．３３４ｇ、変換率１４％、収率９６％）が、淡橙色の結晶として得られた。高速液体クロマトグラフィーにより、ろ液の分析を行ったところ、ろ液中に未反応の尿素（５．１１ｇ）が確認された。含まれることが分かった。【０３０８】
実施例１４０〜１５５
酸の種類と濃度を、表１４に示すとおりに変更した以外は、実施例１３９に示す方法と同様に電解を行った。【０３０９】
【表１４】
2012147953.tif 000029
【０３１０】
実施例１５６
２枚の白金電極（１５ｍｍ×２０ｍｍ）を取り付けたビーカー型電解セルに、尿素（６．０ｇ、０．１ｍｏｌ）、臭化ナトリウム（０．４１ｇ、０．００４ｍｏｌ）、２５ｗｔ％塩化ナトリウム水溶液（２０ｍＬ）を秤りとり，かき混ぜて均一溶液とした。０℃に設定した低温恒温水槽に電解セルを浸して冷却しながら、電流密度１３３ｍＡ/ｃｍ２に一定に保ち６．７時間電解を行い、０．５Ｆ/ｍｏｌの電気量を通電した。反応終了後、生成した沈殿物をろ過により分取し、水洗、乾燥後、目的のアゾジカルボンアミド（０．６１８ｇ、変換率１５．０％、収率７１．０％）が、淡橙色の結晶として得られた。高速液体クロマトグラフィーにより、ろ液の分析を行ったところ、ろ液中に未反応の尿素（５．０１ｇ）が確認された。【０３１１】
実施例１５７〜１６５
反応温度を表１５に示す温度に変更した以外は、実施例１５６に記載の方法と同様に電解を行った。なお、実施例１６２〜１６５は冷媒を使用して外部から冷却し、実施例１６０−１６１は低温恒温水槽を用いず電解を行った。さらに、実施例１５７〜１５９では、熱媒を使用して外部から加熱を行った。【０３１２】
【表１５】
2012147953.tif 000030
【０３１３】
実施例１６６〜１７７
臭化ナトリウムに替えて、表１６に記載のハロゲン化物又はハロゲン化水素 (０．００４ｍｏｌ)を用い、反応温度を同表に記した温度に変更した以外は、実施例１５６に示す方法と同様に電解を行った。【０３１４】
【表１６】
2012147953.tif 000031
【０３１５】
実施例１７８
２枚の白金電極（１５ｍｍ×２０ｍｍ）を取り付けたビーカー型電解セルに、尿素（６．０ｇ、０．１ｍｏｌ）、臭化水素（４７％水溶液、０．６９ｇ、０．００４ｍｏｌ）、２５ｗｔ％塩化ナトリウム水溶液（２０ｍＬ）を秤りとり、かき混ぜて均一溶液とした。０℃に設定した低温恒温水槽に電解セルを浸して冷却しながら、電流密度２６７ｍＡ／ｃｍ２に一定に保ち、３．３時間電解を行い、０．５Ｆ／ｍｏｌの電気量を通電した。反応終了後、生成した沈殿物をろ過により分取し、水洗、乾燥後、目的のアゾジカルボンアミド（０．６５ｇ、変換率１４％、収率８０％）が、淡橙色の結晶として得られた。高速液体クロマトグラフィーにより、ろ液分析を行ったところ、ろ液中に未反応の尿素 （５．１１ｇ）が確認された。【０３１６】
実施例１７９〜１８６
電流密度を表１７に記載の条件に変更した以外は、実施例１７８に記した方法と同様に電解を行った。【０３１７】
【表１７】
2012147953.tif 000032
【０３１８】
実施例１８７
２枚の白金電極（１５ｍｍ×２０ｍｍ）を取り付けた試験管型電解セルに、尿素（１．５ｇ、０．０２５ｍｏｌ）、臭化水素（４７％水溶液、０．１７ｇ、０．００１ｍｏｌ）、２０ｗｔ％塩化ナトリウム水溶液（５ｍＬ）を秤りとり、かき混ぜて均一溶液とした。０℃に設定した低温恒温水槽に電解セルを浸して冷却しながら、電流密度１３３ｍＡ/ｃｍ２に一定に保ち１．７時間電解を行い、０．５Ｆ/ｍｏｌの電気量を通電した。反応終了後、生成した沈殿物をろ過により分取し、水洗、乾燥後、目的のアゾジカルボンアミド（０．１８４ｇ、変換率１５％、収率８５％）が、淡橙色の結晶として得られた。高速液体クロマトグラフィーにより、ろ液の分析を行ったところ、ろ液中に未反応の尿素（１．２６８ｇ）が確認された。【０３１９】
実施例１８８〜１９３
尿素および臭化水素の添加量を、表１８に示す量に変更した以外は、実施例１８７に示す方法と同様に電解を行った。【０３２０】
【表１８】
2012147953.tif 000033
【０３２１】
実施例１９４
陽極として白金板電極（１．５Ｘ１．０ｃｍ２）、陰極として白金板電極（１．５Ｘ１．０ｃｍ２）を取り付けたビーカー型電解セルに、尿素 （１．２ｇ、２０ｍｍｏｌ）、４７％臭化水素酸（０．１４ｇ、０．８ｍｍｏｌ）、２０％食塩水（４ｇ）を秤りとり、かき混ぜて均一溶液とした。電解セルを氷水浴に浸して冷しつつ、電流密度を２６７ｍＡ／ｃｍ２に一定に保ちながら８０分間電解を行い、１Ｆ／ｍｏｌの電気量を通電した。反応終了後、生成する沈殿物をろ過により分取し、水洗、乾燥後、目的のアゾジカルボンアミド（０．２５１ｇ、変換率２３％、収率９４％) が、淡橙色の結晶として得られた。高速液体クロマトグラフィーにより、ろ液の分析を行ったところ、ろ液中に未反応の尿素（０．９１９ｇ）が確認された。【０３２２】
実施例１９５〜２２１
陽極又は陰極を表１９に示す電極に変えた以外は、実施例１９４に記載した方法と同様に電解を行った。【０３２３】
【表１９−１】
2012147953.tif 000034
【０３２４】
【表１９−２】
2012147953.tif 000035
【０３２５】
実施例２２２
２枚の白金電極（１５ｍｍ×２０ｍｍ）を取り付けたビーカー型電解セルに、尿素（６．０ｇ、０．１ｍｏｌ），臭化ナトリウム（０．４１ｇ、０．００４ｍｏｌ）、２５ｗｔ％塩化ナトリウム水溶液（２０ｍＬ）を秤りとり、かき混ぜて均一溶液とした。０℃に設定した低温恒温水槽に電解セルを浸して冷却しながら、電流密度１３３ｍＡ/ｃｍ２に一定に保ち６．７時間電解を行い、０．５Ｆ/ｍｏｌの電気量を通電した。反応終了後、生成した沈殿物をろ過により分取し、水洗、乾燥後、目的のアゾジカルボンアミド（０．７６５ｇ、変換率１５．０％、収率８８．０％）が、淡橙色の結晶として得られた。高速液体クロマトグラフィーにより、ろ液の分析を行ったところ、ろ液中に未反応の尿素（５．０２ｇ）が確認された。【０３２６】
回収したろ液に、尿素（０．９ｇ、０．０１５ｍｏｌ）を添加して初期尿素濃度（尿素６．０ｇ /２０ｍＬ）に調製した後、上記と同様の条件で再度電解を行った。これらの操作をさらに２回繰り返し行った。結果を表２０にまとめて示す。【０３２７】
実施例２２３−２２６【０３２８】
【表２０】
2012147953.tif 000036
【０３２９】
実施例２２７
２枚の白金電極（１５ｍｍ×２０ｍｍ）を取り付けたビーカー型電解セルに、尿素（６．０ｇ、０．１ｍｏｌ），臭化ナトリウム（０．４１ｇ、０．００４ｍｏｌ）、テトラフルオロホウ酸ナトリウム（０．４４ｇ、０．００４ｍｏｌ）を秤りとり、かき混ぜて均一溶液とした。０℃に設定した低温恒温水槽に電解セルを浸して冷却しながら、電流密度１３３ｍＡ/ｃｍ２に一定に保ち６．７時間電解を行い、０．５Ｆ/ｍｏｌの電気量を通電した。反応終了後、生成した沈殿物をろ過により分取し、水洗、乾燥後、目的のアゾジカルボンアミド（０．７６５ｇ、変換率１５．０％、収率８５．０％）が、淡橙色の結晶として得られた。高速液体クロマトグラフィーにより、ろ液の分析を行ったところ、ろ液中に未反応の尿素（５．０２ｇ）が確認された。【０３３０】
実施例２２８−２６１
反応に供したテトラフルオロホウ酸ナトリウムを、表２１に記載の条件に変更した以外は、実施例２２７に示す方法と同様に行った。【０３３１】
【表２１−１】
2012147953.tif 000037
【０３３２】
【表２１−２】
2012147953.tif 000038
【０３３３】
実施例２６２
陽極室と陰極室をガラスフィルターで分離した、Ｈ型分離型セルを用いて電解を行った。陽極室および陰極室に２５ｗｔ％塩化ナトリウム水溶液（各１０ｍＬ）を秤りとり、さらに、陽極室に尿素（３．０ｇ、０．０５ｍｏｌ）と臭素（５２μＬ、１．０ｍｍｏｌ）を加えた。陽陰極室にそれぞれ白金電極（１５ｍｍｘ１０ｍｍ）を装着し、電解セルを氷水浴に浸して冷しながら、電流密度１３３ｍＡ／ｃｍ２に一定に保って３．４時間電解を行い、０．５Ｆ／ｍｏｌの電気量を通電した。反応終了後、陽極室に生成した沈殿物をろ過により分取し、水洗、乾燥後、目的のアゾジカルボンアミド７（０．２５５ｇ、変換率 １０％、収率８５％）が、淡橙色の結晶として得られた。高速液体クロマトグラフィーにより、ろ液の分析を行ったところ、ろ液中に未反応の尿素（２．６２ｇ）が確認された。【０３３４】
実施例２６３−２６６
反応に供した臭素および沃素の量を、表２２に記載の条件に変更した以外は、実施例２６２に示す方法と同様に行った。【０３３５】
【表２２】
2012147953.tif 000039
【０３３６】
実施例２６７
陰極に白金を被覆したチタン電極、陽極に白金電極（それぞれ電極面積９．６ｃｍ２）を用い、電極間距離を３．２ ｍｍに設定したフローセルを用いて電解を行った。まず、貯留槽に尿素（１８ｇ、０．３ｍｏｌ）、臭化ナトリウム （１．２ｇ、０．０１２ｍｏｌ）、塩化ナトリウム（７ｇ、０．１２ｍｏｌ）、塩酸（３．２ｇ、０．０３ｍｏｌ）、水５４．５ｇを秤り取り、かき混ぜて均一溶液とし、−５〜５℃に冷却した。次に、液送ポンプを用いて貯留槽の溶液を流速２６０ ｍＬ／分でフローセルに送液しながら、電流密度を１３５ｍＡ／ｃｍ２に一定に保って６．２時間電解を行い、１．０Ｆ／ｍｏｌの電気量を通電した。この間、フローセルを通過した電解液は再び貯留槽に戻し循環させた。電解終了後、生成した沈殿をろ過により分取し、水洗、乾燥後、目的のアゾジカルボンアミド(５．２９ｇ、変換率３５％、収率８７％)が、淡橙色の結晶として得られた。高速液体クロマトグラフィーにより、ろ液分析を行ったところ、ろ液中に未反応の尿素（１１．４ｇ）が確認された。
【国際調査報告】
2012147953.tif 000045
2012147953.tif 000046
2012147953.tif 000047
2012147953.tif 000048
2012147953.tif 000049